(57)【要約】  アスペクト比の異なる画像を記録することができ、かつ視認性がよく快適なサムネイル表示を可能とする撮像装置、表示制御装置、画像表示システムおよび撮像システムを提供する。撮像装置は、撮影光学系と、被写体の光学的な像を受光し、電気的な画像信号に変換して出力する撮像センサと、撮影画像のアスペクト比を切換えるアスペクト比切換部と、画像信号とアスペクト比を示すアスペクト比情報とを関連付けて記録する画像記録部と、縮小画像を表示可能な表示部と、表示部に表示すべき縮小画像のアスペクト比情報についてユーザの指定を受け付ける指定部と、指定されたアスペクト比情報に応じて表示部における各縮小画像の配置位置と表示サイズと表示枚数とを決定し、各縮小画像を表示部に表示させる画像表示制御部とを備える。
2007086197.tif 000002
【特許請求の範囲】
【請求項１】
被写体の光学的な像を電気的な画像信号として出力する撮像装置であって、
被写体の光学的な像を形成する撮影光学系と、
前記撮影光学系により形成された被写体の光学的な像を受光し、電気的な画像信号に変換して出力する撮像センサと、
前記出力された画像信号に基づく撮影画像のアスペクト比を切換えるアスペクト比切換部と、
前記出力された画像信号と前記アスペクト比を示すアスペクト比情報とを関連付けて記録する画像記録部と、
前記記録された画像信号に基づく縮小画像を表示可能な表示部と、
前記表示部に表示すべき縮小画像のアスペクト比情報についてユーザの指定を受け付ける指定部と、
前記指定されたアスペクト比情報に応じて前記表示部における各前記縮小画像の配置位置と表示サイズと表示枚数とを決定し、各前記縮小画像を前記表示部に表示させる画像表示制御部とを備える、撮像装置。
【請求項２】
撮影時の前記撮像装置の姿勢を検出する姿勢検出部をさらに備え、
前記画像記録部は、前記画像信号と前記アスペクト比情報と前記検出された姿勢を示す姿勢情報とを関連付けて記録し、
前記指定部は、前記表示部に表示すべき縮小画像のアスペクト比情報および姿勢情報の少なくとも一方を指定し、
前記画像表示制御部は、前記指定されたアスペクト比情報および前記姿勢情報の少なくとも一方の情報に応じて前記表示部における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる、請求項１に記載の撮像装置。
【請求項３】
前記画像表示制御部は、前記アスペクト比情報および前記姿勢情報の少なくとも一方が異なる縮小画像を混在させて前記表示部に表示する場合に、アスペクト比情報および姿勢情報の少なくとも一方が等しい縮小画像を前記表示部における所定の領域にまとめて配置して表示させる、請求項２に記載の撮像装置。
【請求項４】
前記画像表示制御部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる、請求項２に記載の撮像装置。
【請求項５】
前記表示部における各前記縮小画像の配置位置と表示サイズと表示枚数とを示すレイアウトを格納するレイアウト格納部と、
前記表示部における各前記縮小画像の表示サイズと表示枚数のいずれを優先すべきかについてユーザからの指示を受け付ける優先度受付部とをさらに備え、
前記レイアウトは、前記表示部における前記縮小画像の表示枚数を優先する表示枚数優先レイアウトと、各前記縮小画像の表示サイズを優先する表示サイズ優先レイアウトとを含み、
前記画像表示制御部は、前記優先度受付部において受け付けたユーザからの指示に基づいてレイアウトを選択し、当該選択したレイアウトにしたがって各前記縮小画像を前記表示部に表示させる、請求項２に記載の撮像装置。
【請求項６】
前記撮像装置は、アスペクト比情報および姿勢情報の少なくとも一方が等しい画像信号を前記画像記録部における同一のフォルダに記録する画像記録制御部をさらに備える、請求項２に記載の撮像装置。
【請求項７】
被写体の光学的な像を電気的な画像信号として出力し、表示装置に接続可能な撮像装置であって、
被写体の光学的な像を形成する撮影光学系と、
前記撮影光学系により形成された被写体の光学的な像を受光し、電気的な画像信号に変換して出力する撮像センサと、
前記出力された画像信号に基づく撮影画像のアスペクト比を切換えるアスペクト比切換部と、
撮影時の前記撮像装置の姿勢を検出する姿勢検出部と、
前記出力された画像信号と前記アスペクト比を示すアスペクト比情報と前記検出された姿勢を示す姿勢情報とを関連付けて記録する画像記録部と、
前記表示装置に表示すべき縮小画像のアスペクト比情報および姿勢情報の少なくとも一方についてユーザの指定を受け付ける指定部と、
前記指定されたアスペクト比情報および前記姿勢情報の少なくとも一方の情報に応じて前記表示装置における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示装置に表示させる表示制御信号を出力する表示制御信号出力部とを備える、撮像装置。
【請求項８】
前記表示制御信号出力部は、前記アスペクト比情報および前記姿勢情報の少なくとも一方が異なる縮小画像を混在させて前記表示装置に表示する場合に、アスペクト比情報および前記姿勢情報の少なくとも一方が等しい縮小画像を前記表示装置における所定の領域にまとめて配置して表示させる表示制御信号を含む、請求項７に記載の撮像装置。
【請求項９】
前記画像表示制御部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示装置に表示させる、請求項７に記載の撮像装置。
【請求項１０】
表示部を有する表示装置に接続可能な表示制御装置であって、
記録部に記録された画像信号と当該画像信号に対応するアスペクト比情報と姿勢情報とを読み出す読み出し部と、
前記表示部に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示部における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる表示制御信号を出力する表示制御信号出力部とを備える、表示制御装置。
【請求項１１】
前記表示制御信号出力部は、前記アスペクト比情報および前記姿勢情報の少なくとも一方が異なる縮小画像を混在させて前記表示部に表示する場合に、前記アスペクト比情報および前記姿勢情報の少なくとも一方が等しい縮小画像を、前記表示部における所定の領域にまとめて配置して表示させる表示制御信号を含む、請求項１０に記載の表示制御装置。
【請求項１２】
前記画像表示制御部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる、請求項１０に記載の表示制御装置。
【請求項１３】
前記表示部における各前記縮小画像の配置位置と表示サイズと表示枚数とを示すレイアウトを格納するレイアウト格納部と、
前記表示部における各前記縮小画像の表示サイズと表示枚数のいずれを優先すべきかについてユーザからの指示を受け付ける優先度受付部とをさらに備え、
前記レイアウトは、前記表示部における前記縮小画像の表示枚数を優先する表示枚数優先レイアウトと、各前記縮小画像の表示サイズを優先する表示サイズ優先レイアウトとを含み、
前記画像表示制御部は、前記優先度受付部において受け付けたユーザからの指示に基づいてレイアウトを選択し、当該選択したレイアウトにしたがって各前記縮小画像を前記表示部に表示させる、請求項１０に記載の表示制御装置。
【請求項１４】
被写体の光学的な像を電気的な画像信号として出力する撮像装置と、撮影画像を表示する表示装置とを含む画像表示システムであって、
前記撮像装置は、
被写体の光学的な像を形成する撮影光学系と、
前記撮影光学系により形成された被写体の光学的な像を受光し、電気的な画像信号に変換して出力する撮像センサと、
前記出力された画像信号に基づく撮影画像のアスペクト比を切換えるアスペクト比切換部と、
撮影時の前記撮像装置の姿勢を検出する姿勢検出部と、
前記出力された画像信号と前記アスペクト比を示すアスペクト比情報と前記検出された姿勢を示す姿勢情報とを関連付けて記録する画像記録部と、
前記表示装置に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示装置における各前記縮小画像の配置位置と表示サイズと表示枚数とを決定し、かつ前記姿勢情報に基づいて前記縮小画像の天地方向を撮影時における撮像装置の前記姿勢に復元し、復元した縮小画像を前記表示部に表示させる表示制御信号を出力する表示制御信号出力部とを備え、
前記表示装置は、
前記記録された画像信号と前記出力された表示制御信号とを受信する受信部と、
前記表示制御信号にしたがって各前記画像信号に基づく各縮小画像を表示する表示部とを備える、画像表示システム。
【請求項１５】
前記表示制御信号出力部は、前記アスペクト比情報および前記姿勢情報の少なくとも一方が異なる縮小画像を混在させて前記表示装置に表示する場合に、アスペクト比情報および前記姿勢情報の少なくとも一方が等しい縮小画像を前記表示部における所定の領域にまとめて配置して表示させる表示制御信号を含む、請求項１４に記載の画像表示システム。
【請求項１６】
前記画像表示制御部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる、請求項１４に記載の画像表示システム。
【請求項１７】
レンズ鏡筒と前記レンズ鏡筒を交換可能な撮像装置とを含む撮像システムであって、
前記レンズ鏡筒は、
被写体の光学的な像を形成する撮像光学系を備え、
前記撮像装置は、
接続された前記撮像光学系により形成された被写体の光学的な像を受光して、前記光学的な像を電気的な画像信号に変換して出力する撮像センサと、
前記出力された画像信号に基づく撮影画像のアスペクト比を切換えるアスペクト比切換部と、
撮影時の前記撮像装置の姿勢を検出する姿勢検出部と、
前記出力された画像信号と前記アスペクト比を示すアスペクト比情報と前記検出された姿勢を示す姿勢情報とを関連付けて記録する画像記録部と、
前記記録され画像信号に基づく縮小画像を表示する表示部と、
前記表示部に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示装置における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる画像表示制御部とを備える、撮像システム。
【請求項１８】
レンズ鏡筒と前記レンズ鏡筒を交換可能な撮像装置とを含む撮像システムであって、
前記レンズ鏡筒は、
被写体の光学的な像を形成する撮像光学系と、
撮影時の前記撮像装置の姿勢を検出する姿勢検出部とを備え、
前記撮像装置は、
接続された前記撮像光学系により形成された被写体の光学的な像を受光して、前記光学的な像を電気的な画像信号に変換して出力する撮像センサと、
前記出力された画像信号に基づく撮影画像のアスペクト比を切換えるアスペクト比切換部と、
撮影時の前記撮像装置の姿勢を検出する姿勢検出部と、
前記出力された画像信号と前記アスペクト比を示すアスペクト比情報と前記検出された姿勢を示す姿勢情報とを関連付けて記録する画像記録部と、
前記記録された画像信号に基づく縮小画像を表示可能な表示部と、
前記表示部に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示部における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる画像表示制御部とを備える、撮像システム。
【請求項１９】
前記画像表示制御部は、前記アスペクト比情報および前記姿勢情報の少なくとも一方が異なる縮小画像を混在させて前記表示部に表示する場合に、前記アスペクト比情報および前記姿勢情報の少なくとも一方が等しい縮小画像を、前記表示部における所定の領域にまとめて配置して表示させる、請求項１７または請求項１８に記載の撮像システム。
【請求項２０】
前記画像表示制御部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる、請求項１７または請求項１８に記載の撮像システム。
【発明の詳細な説明】
【技術分野】
【０００１】
本発明は、撮像装置により撮影された画像の表示方法に関し、より特定的には、撮像装置の姿勢情報や撮影画像のアスペクト比に基づいて撮影画像の表示方法を制御する撮像装置、表示制御装置および表示装置に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサおよび信号処理の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。【０００３】
図４１Ａ〜Ｃは、デジタルカメラの姿勢と表示部に表示される撮影画像の姿勢との関係を示す図である。図４１Ａ〜Ｃに示すように、撮影者は撮影意図に応じ、デジタルカメラ５００の姿勢を変化させて撮影を行う。例えば、風景など横長の被写体を撮影する場合、撮影者はデジタルカメラ５００の姿勢を横状態として撮影を行う。一方、人物や建物など縦長の被写体を撮影する場合には、撮影者はデジタルカメラ５００の姿勢を縦状態として撮影を行う。以下、図４１Ａに示すように、シャッターボタンのストローク方向が、重力方向に対して平行になるときのデジタルカメラ５００の姿勢を横撮り姿勢という。一方、図４１Ｂに示すように、シャッターボタンのストローク方向が、重力方向に対して直交するときのデジタルカメラ５００の姿勢を縦撮り姿勢という。また、それぞれの姿勢で撮影された画像を横撮り画像または縦撮り画像という。従来のデジタルカメラ５００において、撮影画像は、撮影時のデジタルカメラ５００の姿勢と同じ向きで表示されていた。すなわち、図４１Ｂに示すように縦撮り姿勢で撮影した画像を、図４１Ｃに示すように、デジタルカメラ５００を横状態として、表示部に表示させた場合、表示される撮影画像の天地方向は撮影時の天地方向と異なって表示される。したがって、縦撮り画像および横撮り画像が混在する一連の撮影画像を表示する際、縦撮り画像の天地が撮影時の天地と異なるために見づらくなるという問題があった。【０００４】
これ対して、光電変換手段の回転状態を検出する回転状態検出手段と、光電変換手段の出力に基づき得られる画像信号に、撮像時における回転状態情報を付加する付加手段とを備えたデジタルカメラが提案されている（特許文献１）。【０００５】
特許文献１に記載されたデジタルカメラは、回転状態情報を撮像画像信号に付加することにより、撮影時のデジタルカメラの撮影姿勢を検出し、横撮り姿勢あるいは縦撮り姿勢の撮影画像にかかわらず、撮影時の姿勢に応じた表示を行うことができるとしている。【０００６】
また一方、従来のデジタルカメラにおいて、記録される撮影画像のアスペクト比はあらかじめ定められた比（例えば横：縦の比が４：３）に固定されていた。そのため、撮影者は異なるアスペクト比で撮影するためには他のアスペクト比で撮影可能なデジタルカメラに交換する必要があった。【０００７】
また近年、表示画面のアスペクト比を１６：９とするハイビジョン用の表示装置が普及している。このような表示装置にアスペクト比が４：３の撮影画像を表示するためには、撮影者は撮影画像に対してトリミング処理等を施さなければならず煩雑な操作を必要とした。【０００８】
これに対して、アスペクト比が１６：９および４：３の画像を同一の映像記録媒体に記録することのできる映像記録装置が提案されている（特許文献２）。図４２は、特許文献２に記載された映像記録装置６００の構成概略図である。映像記録装置６００は、スイッチング手段６１２と垂直偏向回路６１１と垂直偏向コイル６０６とを備えるので、異なるアスペクト比での映像を記録することができる。これにより、撮影者は撮影シーンに合わせて任意のアスペクト比で撮影を行うことができる。
【特許文献１】特開２００１−４５３５４号公報
【特許文献２】特開２０００−３６９３４号公報
【発明の開示】
【発明が解決しようとする課題】
【０００９】
デジタルカメラに記録された複数の画像を確認する場合、デジタルカメラに設けられた表示部に撮影画像を一覧表示させる方法がある。図４３は、特許文献１に記載されたデジタルカメラにより撮影された画像を一覧表示させた例を示す。図４３に示すように表示部５５０には一覧表示するために各撮影画像は縮小されて表示される。以下、表示部に複数の縮小画像を一覧表示することをサムネイル表示といい、一覧表示するために縮小された画像をサムネイル画像という。また、横撮り姿勢で撮影された画像に対応するサムネイル画像を横撮りサムネイル画像といい、縦撮り姿勢で撮影された画像に対応するサムネイル画像を縦撮りサムネイル画像という。【００１０】
図４３に示すように、特許文献１に記載された発明によれば、撮影画像をサムネイル表示する場合、横撮り画像あるいは縦撮り画像にかかわらず、撮影時の姿勢に復元して表示することができる。しかしながら、表示部５５０に表示される縦撮りサムネイル画像は、横撮りサムネイル画像と比べて横方向に表示される範囲が狭く、拡大して表示することができない。したがって、表示部５５０に表示される縦撮りサムネイル画像の大きさは、横撮りサムネイル画像の大きさと比べて小さく表示されることになり、撮影者にとって見づらく、視認性が悪いという問題があった。【００１１】
また、特許文献２に記載された発明によれば、映像記録装置はアスペクト比の異なる画像を記録することができる。しかしながら、特許文献２はアスペクト比の異なる画像をどのように表示するかについては提案していない。【００１２】
そこで、本発明の目的は、アスペクト比の異なる画像を記録することができ、かつ視認性がよく快適なサムネイル表示を可能とする撮像装置、表示制御装置、画像表示システムおよび撮像システムを提供することにある。
【課題を解決するための手段】
【００１３】
本発明の目的は、以下の構成を備える撮像装置によって達成される。
被写体の光学的な像を電気的な画像信号として出力する撮像装置であって、
被写体の光学的な像を形成する撮影光学系と、
撮影光学系により形成された被写体の光学的な像を受光し、電気的な画像信号に変換して出力する撮像センサと、
出力された画像信号に基づく撮影画像のアスペクト比を切換えるアスペクト比切換部と、
出力された画像信号とアスペクト比を示すアスペクト比情報とを関連付けて記録する画像記録部と、
記録された画像信号に基づく縮小画像を表示可能な表示部と、
表示部に表示すべき縮小画像のアスペクト比情報についてユーザの指定を受け付ける指定部と、
指定されたアスペクト比情報に応じて表示部における各縮小画像の配置位置と表示サイズと表示枚数とを決定し、各縮小画像を表示部に表示させる画像表示制御部とを備える。【００１４】
本発明の目的は、以下の構成を備える撮像装置によって達成される。
被写体の光学的な像を電気的な画像信号として出力し、表示装置に接続可能な撮像装置であって、
被写体の光学的な像を形成する撮影光学系と、
撮影光学系により形成された被写体の光学的な像を受光し、電気的な画像信号に変換して出力する撮像センサと、
出力された画像信号に基づく撮影画像のアスペクト比を切換えるアスペクト比切換部と、
撮影時の撮像装置の姿勢を検出する姿勢検出部と、
出力された画像信号とアスペクト比を示すアスペクト比情報と検出された姿勢を示す姿勢情報とを関連付けて記録する画像記録部と、
表示装置に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示装置における各縮小画像の配置位置と表示サイズと表示枚数とを決定し、かつ姿勢情報に基づいて縮小画像の天地方向を撮影時における撮像装置の姿勢に復元し、復元した各縮小画像を表示装置に表示させる表示制御信号を出力する表示制御信号出力部とを備える。【００１５】
本発明の目的は、以下の構成を備える表示制御装置によって達成される。
表示部を有する表示装置に接続可能な表示制御装置であって、
記録部に記録された画像信号と当該画像信号に対応するアスペクト比情報と姿勢情報とを読み出す読み出し部と、
表示部に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示部における各縮小画像の配置位置と表示サイズと表示枚数とを決定し、かつ姿勢情報に基づいて縮小画像の天地方向を撮影時における撮像装置の姿勢に復元し、復元した各縮小画像を表示部に表示させる表示制御信号を出力する表示制御信号出力部とを備える。【００１６】
本発明の目的は、以下の構成を備える画像表示システムによって達成される。
被写体の光学的な像を電気的な画像信号として出力する撮像装置と、撮影画像を表示する表示装置とを含む画像表示システムであって、
撮像装置は、
被写体の光学的な像を形成する撮影光学系と、
撮影光学系により形成された被写体の光学的な像を受光し、電気的な画像信号に変換して出力する撮像センサと、
出力された画像信号に基づく撮影画像のアスペクト比を切換えるアスペクト比切換部と、
撮影時の撮像装置の姿勢を検出する姿勢検出部と、
出力された画像信号とアスペクト比を示すアスペクト比情報と検出された姿勢を示す姿勢情報とを関連付けて記録する画像記録部と、
表示装置に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示装置における各縮小画像の配置位置と表示サイズと表示枚数とを決定し、かつ姿勢情報に基づいて縮小画像の天地方向を撮影時における撮像装置の姿勢に復元し、復元した縮小画像を表示部に表示させる表示制御信号を出力する表示制御信号出力部とを備え、
表示装置は、
記録された画像信号と出力された表示制御信号とを受信する受信部と、
表示制御信号にしたがって各画像信号に基づく各縮小画像を表示する表示部とを備える。【００１７】
本発明の目的は、以下の構成を備える撮像システムによって達成される。
レンズ鏡筒とレンズ鏡筒を交換可能な撮像装置とを含む撮像システムであって、
レンズ鏡筒は、
被写体の光学的な像を形成する撮像光学系を備え、
撮像装置は、
接続された撮像光学系により形成された被写体の光学的な像を受光して、光学的な像を電気的な画像信号に変換して出力する撮像センサと、
出力された画像信号に基づく撮影画像のアスペクト比を切換えるアスペクト比切換部と、
撮影時の撮像装置の姿勢を検出する姿勢検出部と、
出力された画像信号とアスペクト比を示すアスペクト比情報と検出された姿勢を示す姿勢情報とを関連付けて記録する画像記録部と、
記録され画像信号に基づく縮小画像を表示する表示部と、
表示部に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示装置における各縮小画像の配置位置と表示サイズと表示枚数とを決定し、かつ姿勢情報に基づいて縮小画像の天地方向を撮影時における撮像装置の姿勢に復元し、復元した各縮小画像を表示部に表示させる画像表示制御部とを備える。【００１８】
本発明の目的は、以下の構成を備える撮像システムによって達成される。
レンズ鏡筒とレンズ鏡筒を交換可能な撮像装置とを含む撮像システムであって、
レンズ鏡筒は、
被写体の光学的な像を形成する撮像光学系と、
撮影時の撮像装置の姿勢を検出する姿勢検出部とを備え、
撮像装置は、
接続された撮像光学系により形成された被写体の光学的な像を受光して、光学的な像を電気的な画像信号に変換して出力する撮像センサと、
出力された画像信号に基づく撮影画像のアスペクト比を切換えるアスペクト比切換部と、
撮影時の撮像装置の姿勢を検出する姿勢検出部と、
出力された画像信号とアスペクト比を示すアスペクト比情報と検出された姿勢を示す姿勢情報とを関連付けて記録する画像記録部と、
記録された画像信号に基づく縮小画像を表示可能な表示部と、
表示部に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示部における各縮小画像の配置位置と表示サイズと表示枚数とを決定し、かつ姿勢情報に基づいて縮小画像の天地方向を撮影時における撮像装置の姿勢に復元し、復元した各縮小画像を表示部に表示させる画像表示制御部とを備える。
【発明の効果】
【００１９】
以上のように、本発明によればアスペクト比の異なる画像を記録することができ、かつ視認性がよく快適なサムネイル表示を可能とする撮像装置、表示制御装置、画像表示システムおよび撮像システムを提供することができる。
【図面の簡単な説明】
【００２０】
【図１】図１は、実施の形態１に係るデジタルカメラの概略構成を示すブロック図である。
【図２Ａ】図２Ａは、実施の形態１に係るデジタルカメラの上面図である。
【図２Ｂ】図２Ｂは、実施の形態１に係るデジタルカメラの背面図である。
【図３】図３は、実施の形態１の表示部に表示されるアスペクト比切換メニューの一例である。
【図４】図４は、実施の形態１においてアスペクト比が４：３の横画像と１６：９の横画像との関係を示す図である。
【図５】図５は、実施の形態１における画像のアスペクト比とアスペクト比判別信号との関係を示す図である。
【図６】図６は、実施の形態１における画像記録部に形成される画像フォルダの一例を示す図である。
【図７】図７は、実施の形態１において記録開始から記録終了までのフローチャートである。
【図８】図８は、実施の形態１において記録開始から記録終了までのフローチャートである。
【図９】図９は、実施の形態１において撮影画像がサムネイル表示された表示部の表示例である。
【図１０】図１０は、実施の形態１における表示部に表示されるアスペクト比選択メニューの表示例である。
【図１１Ａ】図１１Ａは、実施の形態１における表示部に表示されたサムネイル表示例である。
【図１１Ｂ】図１１Ｂは、実施の形態１における表示部に表示されたサムネイル表示例である。
【図１２】図１２は、実施の形態１においてアスペクト比が４：３の撮影画像とアスペクト比が１６：９の撮影画像との関係を示すである。
【図１３】図１３は、実施の形態２に係るデジタルカメラの概略構成を示すブロック図である。
【図１４】図１４は、実施の形態２においてカメラ姿勢と姿勢判別信号との関係を示す図である。
【図１５】図１５は、実施の形態２における画像記録部に形成される画像フォルダの一例を示す図である。
【図１６】図１６は、実施の形態２において記録開始から記録終了までのフローチャートである。
【図１７】図１７は、実施の形態２において記録開始から記録終了までのフローチャートである。
【図１８】図１８は、実施の形態２における表示部に表示される表示画像種類選択メニューの一例である。
【図１９】図１９は、実施の形態２における表示部に表示される表示優先度選択メニューの一例である。
【図２０Ａ】図２０Ａは、実施の形態２において標準選択ボタンが選択された場合のサムネイル表示例である。
【図２０Ｂ】図２０Ｂは、実施の形態２において大きさ優先ボタンが選択された場合のサムネイル表示例である。
【図２０Ｃ】図２０Ｃは、実施の形態２において表示枚数優先ボタンが選択された場合のサムネイル表示例である。
【図２１】図２１は、実施の形態３に係るデジタルカメラの概略構成を示すブロック図である。
【図２２Ａ】図２２Ａは、実施の形態３において、アスペクト比４：３の縦画像をサムネイル表示するレイアウト例である。
【図２２Ｂ】図２２Ｂは、実施の形態３において、アスペクト比４：３の縦画像をサムネイル表示するレイアウト例である。
【図２２Ｃ】図２２Ｃは、実施の形態３において、アスペクト比４：３の縦画像をサムネイル表示するレイアウト例である。
【図２３Ａ】図２３Ａは、実施の形態３において、アスペクト比１６：９の横画像をサムネイル表示するレイアウト例である。
【図２３Ｂ】図２３Ｂは、実施の形態３において、アスペクト比１６：９の横画像をサムネイル表示するレイアウト例である。
【図２３Ｃ】図２３Ｃは、実施の形態３において、アスペクト比１６：９の横画像をサムネイル表示するレイアウト例である。
【図２４Ａ】図２４Ａは、実施の形態３において、アスペクト比１６：９の縦画像をサムネイル表示するレイアウト例である。
【図２４Ｂ】図２４Ｂは、実施の形態３において、アスペクト比１６：９の縦画像をサムネイル表示するレイアウト例である。
【図２４Ｃ】図２４Ｃは、実施の形態３において、アスペクト比１６：９の縦画像をサムネイル表示するレイアウト例である。
【図２５Ａ】図２５Ａは、実施の形態３において、アスペクト比に関わらず横画像をサムネイル表示するレイアウト例である。
【図２５Ｂ】図２５Ｂは、実施の形態３において、アスペクト比に関わらず横画像をサムネイル表示するレイアウト例である。
【図２５Ｃ】図２５Ｃは、実施の形態３において、アスペクト比に関わらず横画像をサムネイル表示するレイアウト例である。
【図２６Ａ】図２６Ａは、実施の形態３において、縦画像をサムネイル表示するレイアウト例である。
【図２６Ｂ】図２６Ｂは、実施の形態３において、縦画像をサムネイル表示するレイアウト例である。
【図２６Ｃ】図２６Ｃは、実施の形態３において、縦画像をサムネイル表示するレイアウト例である。
【図２６Ｄ】図２６Ｄは、実施の形態３において、縦画像をサムネイル表示するレイアウト例である。
【図２７Ａ】図２７Ａは、実施の形態３において、撮影姿勢に関わらずアスペクト比が４：３の画像をサムネイル表示するレイアウト例である。
【図２７Ｂ】図２７Ｂは、実施の形態３において、撮影姿勢に関わらずアスペクト比が４：３の画像をサムネイル表示するレイアウト例である。
【図２７Ｃ】図２７Ｃは、実施の形態３において、撮影姿勢に関わらずアスペクト比が４：３の画像をサムネイル表示するレイアウト例である。
【図２７Ｄ】図２７Ｄは、実施の形態３において、撮影姿勢に関わらずアスペクト比が４：３の画像をサムネイル表示するレイアウト例である。
【図２７Ｅ】図２７Ｅは、実施の形態３において、撮影姿勢に関わらずアスペクト比が４：３の画像をサムネイル表示するレイアウト例である。
【図２８Ａ】図２８Ａは、実施の形態３において、撮影姿勢に関わらずアスペクト比が１６：９の画像をサムネイル表示させるレイアウト例である。
【図２８Ｂ】図２８Ｂは、実施の形態３において、撮影姿勢に関わらずアスペクト比が１６：９の画像をサムネイル表示させるレイアウト例である。
【図２８Ｃ】図２８Ｃは、実施の形態３において、撮影姿勢に関わらずアスペクト比が１６：９の画像をサムネイル表示させるレイアウト例である。
【図２８Ｄ】図２８Ｄは、実施の形態３において、撮影姿勢に関わらずアスペクト比が１６：９の画像をサムネイル表示させるレイアウト例である。
【図２８Ｅ】図２８Ｅは、実施の形態３において、撮影姿勢に関わらずアスペクト比が１６：９の画像をサムネイル表示させるレイアウト例である。
【図２９Ａ】図２９Ａは、実施の形態３において、画像方向およびアスペクト比に関わらず画像記録部に記録された全ての画像をサムネイル表示するレイアウト例である。
【図２９Ｂ】図２９Ｂは、実施の形態３において、画像方向およびアスペクト比に関わらず画像記録部に記録された全ての画像をサムネイル表示するレイアウト例である。
【図２９Ｃ】図２９Ｃは、実施の形態３において、画像方向およびアスペクト比に関わらず画像記録部に記録された全ての画像をサムネイル表示するレイアウト例である。
【図２９Ｄ】図２９Ｄは、実施の形態３において、画像方向およびアスペクト比に関わらず画像記録部に記録された全ての画像をサムネイル表示するレイアウト例である。
【図２９Ｅ】図２９Ｅは、実施の形態３において、画像方向およびアスペクト比に関わらず画像記録部に記録された全ての画像をサムネイル表示するレイアウト例である。
【図３０Ａ】図３０Ａは、実施の形態３において、図２９Ａ〜Ｅに示したレイアウトを例に画像の表示順序を説明するための図である。
【図３０Ｂ】図３０Ｂは、実施の形態３において、図２９Ａ〜Ｅに示したレイアウトを例に画像の表示順序を説明するための図である。
【図３０Ｃ】図３０Ｃは、実施の形態３において、図２９Ａ〜Ｅに示したレイアウトを例に画像の表示順序を説明するための図である。
【図３０Ｄ】図３０Ｄは、実施の形態３において、図２９Ａ〜Ｅに示したレイアウトを例に画像の表示順序を説明するための図である。
【図３０Ｅ】図３０Ｅは、実施の形態３において、図２９Ａ〜Ｅに示したレイアウトを例に画像の表示順序を説明するための図である。
【図３１Ａ】図３１Ａは、実施の形態３において、アスペクト比が４：３の横画像をアスペクト比が１６：９の表示部にサムネイル表示するレイアウト例である。
【図３１Ｂ】図３１Ｂは、実施の形態３において、アスペクト比が４：３の横画像をアスペクト比が１６：９の表示部にサムネイル表示するレイアウト例である。
【図３１Ｃ】図３１Ｃは、実施の形態３において、アスペクト比が４：３の横画像をアスペクト比が１６：９の表示部にサムネイル表示するレイアウト例である。
【図３２Ａ】図３２Ａは、実施の形態３において、アスペクト比が４：３の縦画像をアスペクト比が１６：９の表示部にサムネイル表示するレイアウト例である。
【図３２Ｂ】図３２Ｂは、実施の形態３において、アスペクト比が４：３の縦画像をアスペクト比が１６：９の表示部にサムネイル表示するレイアウト例である。
【図３２Ｃ】図３２Ｃは、実施の形態３において、アスペクト比が４：３の縦画像をアスペクト比が１６：９の表示部にサムネイル表示するレイアウト例である。
【図３３Ａ】図３３Ａは、実施の形態３において、アスペクト比が１６：９の横画像をアスペクト比が１６：９の表示部にサムネイル表示するレイアウト例である。
【図３３Ｂ】図３３Ｂは、実施の形態３において、アスペクト比が１６：９の横画像をアスペクト比が１６：９の表示部にサムネイル表示するレイアウト例である。
【図３３Ｃ】図３３Ｃは、実施の形態３において、アスペクト比が１６：９の横画像をアスペクト比が１６：９の表示部にサムネイル表示するレイアウト例である。
【図３４Ａ】図３４Ａは、実施の形態３において、アスペクト比が１６：９の縦画像をアスペクト比が１６：９の表示部にサムネイル表示するレイアウト例である。
【図３４Ｂ】図３４Ｂは、実施の形態３において、アスペクト比が１６：９の縦画像をアスペクト比が１６：９の表示部にサムネイル表示するレイアウト例である。
【図３４Ｃ】図３４Ｃは、実施の形態３において、アスペクト比が１６：９の縦画像をアスペクト比が１６：９の表示部にサムネイル表示するレイアウト例である。
【図３５Ａ】図３５Ａは、実施の形態３において、横画像をアスペクト比が１６：９の表示部にサムネイル表示するレイアウト例である。
【図３５Ｂ】図３５Ｂは、実施の形態３において、横画像をアスペクト比が１６：９の表示部にサムネイル表示するレイアウト例である。
【図３５Ｃ】図３５Ｃは、実施の形態３において、横画像をアスペクト比が１６：９の表示部にサムネイル表示するレイアウト例である。
【図３６Ａ】図３６Ａは、実施の形態３において、縦画像をアスペクト比が１６：９の表示部にサムネイル表示するレイアウト例である。
【図３６Ｂ】図３６Ｂは、実施の形態３において、縦画像をアスペクト比が１６：９の表示部にサムネイル表示するレイアウト例である。
【図３６Ｃ】図３６Ｃは、実施の形態３において、縦画像をアスペクト比が１６：９の表示部にサムネイル表示するレイアウト例である。
【図３７Ａ】図３７Ａは、実施の形態３において、アスペクト比が４：３の画像をアスペクト比が１６：９の表示部にサムネイル表示するレイアウト例である。
【図３７Ｂ】図３７Ｂは、実施の形態３において、アスペクト比が４：３の画像をアスペクト比が１６：９の表示部にサムネイル表示するレイアウト例である。
【図３７Ｃ】図３７Ｃは、実施の形態３において、アスペクト比が４：３の画像をアスペクト比が１６：９の表示部にサムネイル表示するレイアウト例である。
【図３８Ａ】図３８Ａは、実施の形態３において、アスペクト比が１６：９の画像をアスペクト比が１６：９の表示部にサムネイル表示するレイアウト例である。
【図３８Ｂ】図３８Ｂは、実施の形態３において、アスペクト比が１６：９の画像をアスペクト比が１６：９の表示部にサムネイル表示するレイアウト例である。
【図３８Ｃ】図３８Ｃは、実施の形態３において、アスペクト比が１６：９の画像をアスペクト比が１６：９の表示部にサムネイル表示するレイアウト例である。
【図３９】図３９は、実施の形態４に係るデジタルカメラおよび表示装置を示す図である。
【図４０】図４０は、実施の形態５に係る表示制御装置を示す図である。
【図４１Ａ】図４１Ａは、従来のデジタルカメラの姿勢と表示部に表示される撮影画像の姿勢との関係を示す図である。
【図４１Ｂ】図４１Ｂは、従来のデジタルカメラの姿勢と表示部に表示される撮影画像の姿勢との関係を示す図である。
【図４１Ｃ】図４１Ｃは、従来のデジタルカメラの姿勢と表示部に表示される撮影画像の姿勢との関係を示す図である。
【図４２】図４２は、従来の映像記録装置の構成概略図である。
【図４３】図４３は、従来のデジタルカメラにより撮影された画像の一覧表示例である。
【符号の説明】
【００２１】
１  デジタルカメラ
１ａ  筐体
２  レンズ
３  マイクロコンピュータ
４  撮像センサ
５  ＣＣＤ駆動制御部
６  アナログ信号制御部
７  Ａ／Ｄ変換部
８  デジタル信号処理部
９  バッファメモリ
１０  画像圧縮部
１１  画像記録制御部
１２  画像記録部
１３  画像表示制御部
３５  電源スイッチ
３６  シャッター操作部
３７  撮影／再生切換操作部
３８  十字操作キー
３９  ＭＥＮＵ設定操作部
４０  ＳＥＴ操作部
４１  シャッター操作部
４２  シャッター駆動モータ
４３  姿勢検出部
５１  リムーバブルメモリ
５５  表示部
５７  ズーム操作部
６０  姿勢判別信号
６１  アスペクト比判別信号
６２  表示優先度選択メニュー
６２ａ  標準選択ボタン
６２ｂ  大きさ優先ボタン
６２ｃ  表示枚数優先ボタン
６４  表示画像種類選択メニュー
６４ａ  アスペクト比４：３横画像選択ボタン
６４ｂ  アスペクト比４：３縦画像選択ボタン
６４ｃ  アスペクト比１６：９横画像選択ボタン
６４ｄ  アスペクト比１６：９縦画像選択ボタン
６４ｅ  横画像選択ボタン
６４ｆ  縦画像選択ボタン
６４ｇ  アスペクト比４：３画像選択ボタン
６４ｈ  アスペクト比４：３画像選択ボタン
６５  アスペクト比選択メニュー
６５ａ  アスペクト比４：３選択ボタン
６５ｂ  アスペクト比１６：９：３選択ボタン
６９  アスペクト比切換メニュー
６９ａ  アスペクト比４：３切換ボタン
６９ｂ  アスペクト比１６：９切換ボタン
７０  表示装置
７５  ケーブル
８０  表示装置
８１  リムーバブルメモリ挿入部
８２  表示制御装置
９０  撮影画像フォルダ
９１  静止画像フォルダ
９２  動画像フォルダ
９３ａ、９３ｂ  横姿勢画像フォルダ
９４ａ、９４ｂ  縦姿勢画像フォルダ
９５  静止画像
９６  動画像
９７ａ、９７ｂ、９７ｃ  アスペクト比４：３フォルダ
９８ａ、９８ｂ、９８ｃ  アスペクト比１６：９フォルダ
１００  デジタルカメラ
１５０  レイアウト格納部
２００  デジタルカメラ
Ｌ  撮像光学系
Ｌ１  第１レンズ群
Ｌ２  第２レンズ群
Ｌ３  第３レンズ群
Ｓｈ  アスペクト比４：３横画像
Ｓｖ  アスペクト比４：３縦画像
Ｗｈ  アスペクト比１６：９横画像
Ｗｖ  アスペクト比１６：９縦画像
【発明を実施するための最良の形態】
【００２２】
（実施の形態１）
図１は、本発明の実施の形態１に係るデジタルカメラ１の概略構成を示すブロック図である。図１において、デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２とを備えている。【００２３】
撮像光学系Ｌは、３つのレンズ群Ｌ１、Ｌ２、Ｌ３を含む光学系である。第１レンズ群Ｌ１が光軸方向に移動することによりズーミングが行われる。第３レンズ群Ｌ３が光軸方向に移動することによりフォーカシングが行われる。第２レンズ群Ｌ２は、補正レンズ群であって、光軸に垂直な面内を移動することにより光軸を偏心させて画像の動きを補正する役割を果たしている。【００２４】
マイクロコンピュータ３は、デジタルカメラ１の全体を制御する。なお、マイクロコンピュータ３は、電源スイッチ３５、シャッター操作部３６、撮影／再生切換操作部３７、十字操作キー３８、ＭＥＮＵ設定操作部３９およびＳＥＴ操作部４０からの信号をそれぞれ受信可能である。【００２５】
シャッター操作部３６は、撮影の際に撮影者によって操作される、例えばレリーズボタンである。シャッター操作部３６が操作されると、タイミング信号がマイクロコンピュータ３に出力される。シャッター制御部４１は、タイミング信号を受信したマイクロコンピュータ３から出力される制御信号にしたがって、シャッター駆動モータ４２を駆動し、シャッターを動作させる。【００２６】
撮像センサ４は、撮影光学系Ｌにより形成される光学的な像を電気的な信号に変換する、例えばＣＣＤである。撮像センサ４は、ＣＣＤ駆動制御部５により駆動制御される。なお、撮像センサ４はＣＭＯＳでもよい。【００２７】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調、後述するアスペクト比切換処理等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。【００２８】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて、画像圧縮部１０に送信される。画像圧縮部１０に送信された画像信号のデータは、所定の比率で圧縮されて、そのデータサイズが小さくなる。かかる圧縮方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。また同時に、画像圧縮部１０はサムネイル表示等に用いられる撮影画像に対応した縮小画像信号を生成する。その後、圧縮された画像信号および縮小画像信号は、画像記録部１２へ送信される。【００２９】
画像記録部１２は、画像記録制御部１１の指令に基づいて、画像信号と、対応する縮小画像信号と、記録すべき所定の情報とを関連付けて記録する、例えば内部メモリおよび／又は着脱可能なリムーバブルメモリである。なお、画像信号とともに記録すべき所定の情報は、画像を撮影した際の日時と、焦点距離情報と、シャッタースピード情報と、絞り値情報と、撮影モード情報と、後述するデジタルカメラ１の姿勢情報とを含む。【００３０】
画像表示制御部１３は、マイクロコンピュータ３からの制御信号により制御される。この画像表示制御部１３の指令により、表示部５５は、画像記録部１２あるいはバッファメモリ９に記録された画像信号および縮小画像信号を可視画像として表示する、例えば液晶モニタである。なお本実施の形態では、表示部５５のアスペクト比が４：３の場合について説明する。【００３１】
ここで表示部５５の表示形態としては、画像信号のみを可視画像として表示する表示形態と、画像信号と撮影時の情報とを可視画像として表示する表示形態とがある。なお、画像信号の撮影時の情報は、焦点距離情報と、シャッタースピード情報と、絞り値情報と、撮影モード情報と、合焦状態情報と、姿勢情報とを含む。これらの情報は、撮影者がＭＥＮＵ設定操作部３９を操作することにより表示される。【００３２】
次に、実施の形態１に係るデジタルカメラ１の構成について、図２を用いて説明する。図２Ａはデジタルカメラ１の上面図、図２Ｂはデジタルカメラ１の背面図である。【００３３】
筐体１ａは、前面にレンズ２を含む撮像光学系を備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部５７とを備える。【００３４】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えられる。また撮影モードに切換えられた状態で、ズーム操作部５７を右方向へ回動させると、撮影光学系Ｌは望遠側へ切換えられる。一方、ズーム操作部５７を左方向へ回動させると撮影光学系Ｌは広角側へ切換えられる。【００３５】
ＭＥＮＵ設定操作部３９は、表示部５５に各種メニューを表示させるための操作部材である。十字操作キー３８は、ＭＥＮＵ設定操作部３９の操作により表示部５５に表示された各種操作メニューから、上下左右の部位を押圧して選択するための操作部材である。十字操作キー３８により各種操作メニューが選択されると、マイクロコンピュータ３は選択されたメニューの実行指令を出す。ＳＥＴ操作部４０は、各種操作メニューの表示を表示前の状態に戻すための操作部材である。【００３６】
次に、撮影画像のアスペクト比を切換える処理について図３〜図５を用いて説明する。図３は表示部５５に表示されるアスペクト比切換メニュー６９の一例を示し、図４はアスペクト比が４：３の横画像Ｓｈと１６：９の横画像Ｗｈとの関係を示す。また図５は画像のアスペクト比とアスペクト比判別信号との関係を示す。撮影画像のアスペクト比は、基本的に撮像センサ４のアスペクト比に依存する。したがって、例えば撮像センサ４のアスペクト比が４：３である場合には、アスペクト比が４：３の撮影画像が出力される。そこで、本実施の形態に係るデジタルカメラ１は、撮像センサ４から出力された画像信号に対してアスペクト比切換処理を施すことにより、撮像センサ４のアスペクト比に関わらず任意のアスペクト比の画像を記録できる。ここでは一例として、撮像センサ４のアスペクト比を４：３とし、アスペクト比が４：３および１６：９の画像を記録する場合について説明する。【００３７】
図３においてアスペクト比切換メニュー６９は、アスペクト比４：３切換ボタン６９ａとアスペクト比１６：９切換ボタン６９ｂとから構成され、撮影者はいずれかのボタンを選択可能である。アスペクト比切換メニュー６９のうちアスペクト比１６：９切換ボタン６９ｂが選択されると、デジタル信号処理部８は撮像センサ４から出力された画像信号に対してアスペクト比を変更するための画像処理を施す。すなわち、図５に示すようにデジタル信号処理部８は、アスペクト比が４：３の撮影画像Ｓｈの画像信号に対して上下部分（図中の斜線部）を切り取る処理を施して、アスペクト比が１６：９の画像Ｗｈの画像信号を生成する。そして画像記録制御部１１は、生成された画像信号に対してアスペクト比が１６：９であることを示すアスペクト比判別信号６１（４）を付加して画像記録部１２に記録する。アスペクト比判別信号６１は、例えば画像信号のヘッダあるいはフッタ部分に記録される。【００３８】
一方、アスペクト比切換メニュー６９のうちアスペクト比４：３切換ボタン６９ａが選択された場合、撮像センサ４から出力される画像信号に基づく撮影画像のアスペクト比は４：３であることから、デジタル信号処理部８は画像信号に対して上記の画像処理を行わない。画像記録制御部１１は、アスペクト比が４：３であることを示すアスペクト比判別信号６１（３）を画像信号に付加して画像記録部１２に記録する。【００３９】
このように、デジタル信号処理部８は撮像センサ４から出力された画像信号に対してアスペクト比切換処理を施すので、撮像センサ４のアスペクト比に関わらず、撮影者が所望するアスペクト比の画像を記録することができる。また、撮影者は撮影画像のアスペクト比を変更するために複雑な操作を行う必要がないので利便性が高い。【００４０】
次に、撮影画像を記録する画像ファイルの管理方法について図６〜図８を用いて説明する。図６は、画像記録部１２に形成される画像フォルダの一例を示す。図７および図８は、撮影画像の記録処理を示し、記録開始から記録終了までのフローチャートである。図６において、画像記録部１２には、撮影画像フォルダ９０と、その下の階層に静止画像フォルダ９１および動画像フォルダ９２とが形成される。さらに、静止画像フォルダ９１および動画像フォルダ９２のそれぞれ下の階層に、アスペクト比４：３フォルダ９７ａおよび９７ｂとアスペクト比１６：９フォルダ９８ａおよび９８ｂのアスペクト比別に分類されたフォルダが形成される。【００４１】
撮影された画像は、まず静止画像もしくは動画像別のフォルダに振り分けられる。その後、画像信号に付加されたアスペクト比判別信号６１に基づいて、撮影画像はアスペクト比別のフォルダに格納される。例えば、静止画撮影モードにおいて撮影されたアスペクト比が４：３の静止画像は、静止画像ファイル９５ａとしてアスペクト比４：３フォルダ９７ａに格納される。一方、動画撮影モードにおいて撮影されたアスペクト比１６：９の動画像は、動画像ファイル９６ｂとしてアスペクト比１６：９フォルダ９８ｂに格納される。【００４２】
次に撮影画像の記録処理について説明する。図７において、まず撮影者は撮影画像を記録するためにＭＥＮＵ設定操作部３９を操作して、表示部５５に各種メニュー画面を表示させる。撮影者は、表示された各種メニュー画面から画像記録モードを選択する。これによりデジタルカメラ１は、図７に示す記録処理を開始する。まずステップＳ１において、マイクロコンピュータ３は撮影モードの判定処理を行う。すなわち、マイクロコンピュータ３はデジタルカメラ１が静止画撮影モードまたは動画撮影モードのいずれに選択されているのかを判定する。静止画撮影モードと判定された場合にはデジタルカメラ１の処理はステップＳ２へ移行し、一方、動画像撮影モードと判定された場合には図８に示す処理Ａへ移行する。【００４３】
まず、ステップＳ２において静止画撮影モードと判定された場合の処理（ステップＳ３〜Ｓ７）について説明する。ステップＳ３において、マイクロコンピュータ３は、撮影画像の記録先ディレクトリを静止画像フォルダ９１に設定する。次にステップＳ３では撮影画像のアスペクト比が判定される。すなわちステップＳ３では、画像信号に付加されたアスペクト比判別信号６１が（３）の場合はアスペクト比を４：３と判定し、（４）の場合はアスペクト比を１６：９と判定する。ステップＳ３においてアスペクト比が４：３と判定された場合にはデジタルカメラ１の処理はステップＳ４へ移行し、アスペクト比を１６：９と判定された場合にはステップＳ５の処理へ移行する。【００４４】
ステップＳ４においてマイクロコンピュータ３は、撮影画像の記録先フォルダをアスペクト比４：３フォルダ９７ａに設定する。一方、ステップＳ５においてマイクロコンピュータ３は、撮影画像の記録先フォルダをアスペクト比１６：９フォルダ９８ａに設定する。ステップＳ４、Ｓ５の処理により、静止画像の記録先のフォルダが決定されると、続いてステップＳ６の処理が行われる。【００４５】
ステップＳ６では、撮影者からシャッター操作部３６の操作を受け付ける。シャッター操作部３６が押されたことを判定すると、デジタルカメラ１の処理はステップＳ７へ移行して静止画撮影処理が行われ、被写体の光学的な像が画像信号として出力される。静止画撮影処理が終了すると、画像信号は所定のフォルダに格納され、記録処理を終了する。【００４６】
次に、ステップＳ２において動画撮影モードと判定された場合の処理Ａについて図８を用いて説明する。まずステップＳ８において、マイクロコンピュータ３は撮影画像の記録先ディレクトリを動画像フォルダ９２に設定する。次にステップＳ９では、撮影画像のアスペクト比が判定される。すなわちステップＳ９では、図７のステップＳ３と同様に、画像信号に付加されたアスペクト比判別信号６１に基づいて、アスペクト比の判定処理を行う。デジタルカメラ１は、アスペクト比を４：３と判定した場合にはステップＳ１０の処理へ移行し、アスペクト比を１６：９と判定した場合にはステップＳ１１の処理へ移行する。【００４７】
ステップＳ１０においてマイクロコンピュータ３は、撮影画像の記録先フォルダをアスペクト比４：３フォルダ９７ｂに設定する。一方、ステップＳ１１においてマイクロコンピュータ３は、撮影画像の記録先フォルダをアスペクト比１６：９フォルダ９８ｂに設定する。ステップＳ１０およびＳ１１の処理により、動画像の記録先のフォルダが決定されると、続いてステップＳ１２の処理が行われる。【００４８】
ステップＳ１２では、撮影者からシャッター操作部３６の操作を受け付ける。シャッター操作部３６が押されたことを判定すると、デジタルカメラ１の処理はステップＳ１３へ移行して動画像撮影処理が行われる。動画撮影処理が終了すると、撮影画像は所定のフォルダに格納され、記録処理を終了する。以上の処理により撮影画像がデジタルカメラ１の画像記録部１２に記録される。【００４９】
次に、デジタルカメラ１により撮影された画像の表示処理について説明する。撮影画像を表示部５５に表示するために、撮影者はまずデジタルカメラ１の電源スイッチ３５をＯＮにする。その後、撮影者が撮影／再生切換操作部３７を再生モードに切換えると、表示部５５には撮影画像がサムネイル表示される。図９は複数の撮影画像をサムネイル表示させた表示部５５の表示例を示す。図９Ａに示すように、撮影画像は撮影された順番でアスペクト比が４：３の画像Ｓｈと１６：９の画像Ｗｈとを混在させて表示してもよい。かかる場合、表示部５５には縦方向に３枚、横方向に３枚の合計９枚のサムネイル画像が表示される。また他の表示例として、図９ＢおよびＣに示すように同じアスペクト比を有する画像をまとめて配置して表示してもよい。例えば図９Ｃに示すように各サムネイル画像の配置位置を変更することにより、表示部５５には合計１０枚のサムネイル画像の表示が可能となり、表示部５５の表示領域を有効に活用できる。【００５０】
さらに本実施の形態に係るデジタルカメラ１は、アスペクト比が等しい画像のみをサムネイル表示することができる。図１０は、表示部５５に表示されるアスペクト比選択メニュー６５の表示例であり、図１１は表示部５５に表示されたサムネイル表示例である。【００５１】
撮影者がＭＥＮＵ設定操作部３９を操作すると表示部５５には図１０に示すアスペクト比選択メニュー６５が表示される。図１０中、アスペクト比選択メニュー６５は、アスペクト比４：３選択ボタン６５ａとアスペクト比１６：９選択ボタン６５ｂとから構成され、撮影者はいずれかのボタンを選択可能である。【００５２】
アスペクト比４：３選択ボタン６５ａが選択されると、マイクロコンピュータ３は画像記録部１２に記録された撮影画像のうち、アスペクト比４：３フォルダ９７ａに格納された静止画像を抽出する。さらに画像表示制御部１３は、図１１Ａに示すように、アスペクト比４：３の静止画像Ｓｈのみを、抽出した順番で表示部５５にサムネイル表示する。すなわち、表示部５５には縦方向に３枚、横方向に３枚の合計９枚のアスペクト比４：３のサムネイル画像のみが表示される。【００５３】
一方、アスペクト比１６：９選択ボタン６５ｂが選択されると、マイクロコンピュータ３は画像記録部１２に記録された撮影画像のうち、アスペクト比１６：９フォルダ９７ｂに格納された静止画像を抽出する。さらに画像表示制御部１３は、図１１Ｂに示すように、アスペクト比１６：９の静止画像Ｗｈのみを、抽出した順番で表示部５５にサムネイル表示する。すなわち、表示部５５には縦方向に３枚、横方向に３枚の合計９枚のアスペクト比１６：９のサムネイル画像のみが表示される。このように、撮影画像はアスペクト比別に管理されているので、アスペクト比の等しい画像のみを容易に抽出することができ、サムネイル表示が可能である。【００５４】
なお、図１１ＡおよびＢにおいて、撮影者は表示部５５に表示されたサムネイル画像の中から十字操作キー３８を用いて所望の画像を選択することができる。画像が選択されると表示部５５には、選択画像が大きく拡大されて表示される。【００５５】
以上のように、本実施の形態に係るデジタルカメラは、アスペクト比判別信号を撮影画像とともに記録するので、撮影画像をアスペクト比別に管理することができる。これにより、アスペクト比の等しい画像のみを容易に抽出し、サムネイル表示することができる。したがって、アスペクト比の異なる画像が混在して表示されず、視認性のよい快適なサムネイル表示が可能である。【００５６】
また、本実施の形態に係るデジタルカメラは、アスペクト比の異なる画像を混在させて表示する場合、各サムネイル画像の表示位置や表示枚数等を変更してサムネイル表示を行うので、表示部の表示領域を有効に活用でき、視認性を向上させることができる。【００５７】
また、本実施の形態に係るデジタルカメラは、撮像センサのアスペクト比に関わらず、撮影画像のアスペクト比を変更することができるので、撮影者はトリミング処理等の煩雑な操作を行うことなくアスペクト比の異なる画像を記録することができる。【００５８】
なお、本実施の形態に係るデジタルカメラは、アスペクト比が４：３の撮像センサを備えたが、これに限られない。他のアスペクト比を有する撮像センサでもよく、例えば１６：９や３：２のアスペクト比を有する撮像センサでもよい。アスペクト比が１６：９の撮像センサを用いた場合、撮像センサ４はアスペクト比が１６：９の撮影画像を出力する。したがって、図４に示すアスペクト比切換メニュー６９から４：３切換ボタン６９ａが選択された場合、デジタル信号処理部８は画像信号に対してアスペクト比切換処理を施す。図１２は、アスペクト比が４：３の撮影画像Ｓｈとアスペクト比が１６：９の撮影画像Ｗｈとの関係を示す。図１２に示すように、デジタル信号処理部８は、撮像センサ４から出力されたアスペクト比１６：９の撮影画像Ｗｈの画像信号から左右部分（図１２の斜線部）を切り取る処理を施してアスペクト比が４：３となる画像信号を出力する。【００５９】
なお、本実施の形態において、画像信号に対するアスペクト比切換処理は、画像信号が撮像センサから出力されたあと、画像記録部に記録される間のいずれにおいて行われてもよい。また、アスペクト比判別信号を付加するタイミングは、撮影画像をバッファメモリまたは画像記録部に格納するいずれにおいて行われてもよい。【００６０】
なお、本実施の形態に係るデジタルカメラは、図７および図８に示したように画像信号を格納すべきフォルダを撮影前に決定したが、これに限られない。例えば、撮影後にアスペクト比判別信号に基づいて格納すべきフォルダを決定してもよいし、撮影後にユーザが設定してもよい。【００６１】
（実施の形態２）
図１３は、実施の形態２に係るデジタルカメラ１００の概略構成を示すブロック図である。本実施の形態に係るデジタルカメラ１００は、実施の形態１に係るデジタルカメラ１とほぼ同様の構成を備えるが、デジタルカメラの姿勢を検出する姿勢検出部４３をさらに備える点で異なる。以下、実施の形態１と異なる点を中心に説明する。【００６２】
姿勢検出部４３は、デジタルカメラ１００の姿勢を検出し、撮影画像の天地方向を判別する。現在、デジタルカメラ１００の姿勢を検出する手段として、様々な姿勢検出方法が提案されている。その一例として特許文献１に開示されているように、回転検出部を備えたデジタルカメラが提案されている。さらに他の例として、デジタルカメラに加わる振動を検知して、撮像光学系の補正レンズを光軸と直交する２方向に駆動する像ブレ補正部を備えたデジタルカメラが提案されている。かかる像ブレ補正部を備えたデジタルカメラは、像ブレ補正部から出力される補正レンズへの駆動信号を検出することにより、デジタルカメラの姿勢を判別する。本実施の形態に係るデジタルカメラ１は、上述の方法により姿勢を検出する姿勢検出部を備えてもよいし、また、これらに限らずデジタルカメラに角速度センサ等を取り付けてもよい。なお、上述した姿勢検出方法は一例であって、これらの方法によらず姿勢を検出する構成を備えていればよい。【００６３】
次に、姿勢検出部４３を備えるデジタルカメラ１００による撮影処理について説明する。撮影を開始するために撮影者は、電源スイッチ３５をＯＮ側に操作した後、撮影／再生切換操作部３７を撮影モードに切換える。これにより、デジタルカメラ１００は撮影状態へ移行する。撮影者が横撮り姿勢で風景など横長の被写体を撮影するためにデジタルカメラ１００を横撮り姿勢にすると、マイクロコンピュータ３は姿勢検出部４３からの出力値に基づいてデジタルカメラ１００の姿勢が横撮り姿勢であることを認識する。そして撮影者によりシャッター操作部３６が操作されると、撮像センサ４上に形成された被写体の光学的な像は画像信号に変換される。変換後、出力された画像信号は、デジタル信号処理部８によりノイズ除去やアスペクト比切換等の所定の処理が施され、バッファメモリ９を介して画像記録部１２に記録される。このとき、画像記録制御部１１は画像信号に対してカメラの姿勢に応じた姿勢判別信号６０を付加する。図１４は、カメラ姿勢と姿勢判別信号との関係を示す図である。図１４に示すように、横撮り姿勢にて撮影された画像信号に対して画像記録制御部１１は姿勢判別信号６０（０）を付加して画像記録部１２に記録する。かかる姿勢判別信号６０は、例えば画像信号のヘッダ部あるいはフッタ部に付加される。【００６４】
一方、人物などの縦長の被写体に対して縦撮り姿勢にて撮影された場合には、画像記録制御部１１は画像信号に対して縦撮り姿勢であることを示す姿勢判別信号６０（１）を付加して画像記録部１２に記録する。このように、本実施の形態に係るデジタルカメラ１００は、画像信号を記録する際にアスペクト比判別信号６１に加えて、撮影姿勢を示す姿勢判別信号６０を付加する。【００６５】
画像表示制御部１３は、かかる姿勢判別信号６０に基づいて表示部５５に表示させる画像を制御する。すなわち、画像表示制御部１３は撮影画像の姿勢を撮影時と同じ姿勢に復元して撮影画像を表示部５５に表示させる。したがって、姿勢判別信号６０（１）が付加された撮影画像は、画像の方向を９０°回転させた状態、すなわち撮影時と同じ姿勢に復元されて表示される。【００６６】
次に、撮影画像を記録する画像ファイルの管理方法について図１５〜図１７を用いて説明する。本実施の形態における画像ファイルの管理方法は、実施の形態１における管理方法とほぼ同様であるが、図１５に示すように静止画像フォルダ９１および動画像フォルダ９２の下の階層に撮影姿勢別フォルダ９３ａ〜９４ｂが形成される点で異なる。さらに撮影姿勢別フォルダ９３ａ〜９４ｂの下の階層にはアスペクト比別に分類されたフォルダが形成される。【００６７】
撮影された画像は、まず静止画像もしくは動画像別のフォルダに振り分けられる。その後、撮影画像は姿勢判別信号６０に基づいて撮影姿勢別フォルダ９３ａ〜９４ｂに分けられ、さらにアスペクト比判別信号６１に基づいてアスペクト比別フォルダ９７ａ〜９８ｄに格納される。【００６８】
図１６および図１７は、撮影画像の記録処理を示し、記録開始から記録終了までのフローチャートである。本実施の形態における記録処理は実施の形態１で示した処理とほぼ同様であるので、ここでは一部を省略して説明する。まず、Ｓｔｅｐ２０では撮影モードの判定処理が行われる。すなわち、マイクロコンピュータ３は撮影者が静止画像モードあるいは動画像撮影モードのいずれの撮影モードを選択しているのかを判定する。静止画撮影モードと判定された場合にはデジタルカメラ１の処理はステップＳ２１へ移行し、一方、動画像撮影モードと判定された場合には図１７に示す処理Ｂへ移行する。【００６９】
静止画撮影モードと判定された場合、ステップＳ２２において、画像記録制御部１１は、撮影画像の記録先ディレクトリを静止画像フォルダ９１に設定する。次にステップＳ２３では撮影姿勢が判定される。すなわち、撮影画像に付加される姿勢判別信号６０が（０）の場合は横撮り姿勢と判定して記録先ディレクトリを横姿勢画像フォルダ９３ａに設定する（Ｓｔｅｐ２４）。一方、姿勢判別信号６０が（１）の場合は縦撮り姿勢と判定して記録先ディレクトリを縦姿勢画像フォルダ９４ａに設定する（Ｓｔｅｐ２５）。【００７０】
続くＳｔｅｐ２６では、アスペクト比の判定処理が行われる。かかる処理は実施の形態１と同様である。すなわち、マイクロコンピュータ３は撮影画像に付加されたアスペクト比判別信号６１に応じて、記録先ディレクトリをアスペクト比４：３フォルダ９７ａ、９７ｂまたはアスペクト比１６：９フォルダ９８ａ、９８ｂのいずれかに設定する（Ｓｔｅｐ２８、Ｓｔｅｐ２９）。【００７１】
続くステップＳ３０では、撮影者からシャッター操作部３６の操作を受け付ける。シャッター操作部３６が押されたことを判定すると、デジタルカメラ１００の処理はステップＳ３１へ移行して静止画撮影処理を行う。静止画撮影処理が終了すると、撮影画像は設定された記録先ディレクトリに格納され、記録処理を終了する。【００７２】
一方、ステップＳ２０において動画撮影モードと判定された場合には、図１７に示す処理Ｂが行われる。処理Ｂは、図１６に示したフローチャートとほぼ同様であり、動画像は設定された記録先ディレクトリに格納されて、記録処理を終了する。【００７３】
次に、デジタルカメラ１００により撮影された画像の表示処理について説明する。本実施の形態に係るデジタルカメラ１００は、等しいアスペクト比判別信号６１あるいは姿勢判別信号６０を有する画像を抽出し表示部５５に表示することができる。図１８は、表示部５５に表示される表示画像種類選択メニュー６４の一例である。ここで、画像の種類は、画像信号に付加されたアスペクト比判別信号６１や姿勢判別信号６０に基づいて定められ、例えばアスペクト比と撮影時の撮影姿勢に応じて分類される。図１８中、表示画像種類選択メニュー６４は、アスペクト比４：３横画像選択ボタン６４ａと、アスペクト比４：３縦画像選択ボタン６４ｂと、アスペクト比１６：９横画像選択ボタン６４ｃと、アスペクト比１６：９縦画像選択ボタン６４ｄと、横画像選択ボタン６４ｅと、縦画像選択ボタン６４ｆと、アスペクト比４：３選択ボタン６４ｇと、アスペクト比１６：９選択ボタン６４ｈとから構成される。【００７４】
撮影者が表示画像種類選択メニュー６４のうち、アスペクト比４：３横画像選択ボタン６４ａを選択すると、マイクロコンピュータ３は横姿勢画像フォルダ９３ａの下の階層に形成されたアスペクト比４：３フォルダ９７ａ内の画像を抽出する。抽出された画像は、抽出された順番で表示部５５に表示される。これにより、表示部５５には横画像でかつアスペクト比４：３の画像がサムネイル表示される。【００７５】
また、撮影者が表示画像種類選択メニュー６４のうち、アスペクト比４：３縦画像選択ボタン６４ｂを選択すると、マイクロコンピュータ３は縦姿勢画像フォルダ９４ａの下の階層に形成されたアスペクト比４：３フォルダ９７ｂ内の画像を抽出する。さらに画像表示制御部１３は抽出した画像の方向を９０°回転させて撮影時の姿勢に復元して表示する。これにより、表示部５５には縦画像でかつアスペクト比４：３の撮影画像がサムネイル表示される。【００７６】
同様にして、撮影者が表示画像種類選択メニュー６４のうち、アスペクト比１６：９横画像選択ボタン６４ｃあるいはアスペクト比１６：９縦画像選択ボタン６４ｄを選択すると、マイクロコンピュータ３はアスペクト比１６：９フォルダ９８ａまたは９８ｂ内の画像を抽出し、表示部５５にはアスペクト比が１６：９でかつ縦画像または横画像がサムネイル表示される。【００７７】
さらに、アスペクト比に関わらず横画像をサムネイル表示させる場合には、撮影者は横画像選択ボタン６４ｅを選択すればよい。マイクロコンピュータ３は、横姿勢画像フォルダ９３ａの下の階層に形成されたアスペクト比４：３フォルダ９７ａおよびアスペクト比１６：９フォルダ９８ａ内の画像を抽出し、表示部５５には横画像のみが表示される。同様に、アスペクト比に関わらず縦画像をサムネイル表示させる場合には、撮影者は縦画像選択ボタン６４ｆを選択すればよい。【００７８】
なお、撮影姿勢に関わらずアスペクト比が４：３の画像をサムネイル表示させる場合には、撮影者はアスペクト比４：３選択ボタン６４ｇを選択すればよい。マイクロコンピュータ３は、アスペクト比４：３フォルダ９７ａおよび９８ａに格納された撮影画像を抽出し、表示部５５にはアスペクト比が４：３の画像のみが表示される。このとき、縦撮り姿勢で撮影された画像は、画像表示制御部１３により画像の方向が９０°回転されて表示される。同様に、撮影姿勢に関わらずアスペクト比が１６：９の画像をサムネイル表示させる場合には、撮影者はアスペクト比１６：９選択ボタン６４ｈを選択すればよい。【００７９】
このように、撮影時の撮影姿勢およびアスペクト比が等しい画像のみを抽出して表示部に表示することができ、また縦撮り姿勢で撮影された画像は撮影時の姿勢に復元されて表示されるので、視認性のよいサムネイル表示が可能である。【００８０】
さらに本実施の形態に係るデジタルカメラ１００は、撮影画像の表示サイズまたは表示枚数を優先させた表示が可能である。すなわち、デジタルカメラ１００は、表示枚数を優先させると、より多くのサムネイル画像を表示部５５に表示することができる。また、表示サイズを優先させると、より大きな表示サイズで各サムネイル画像を表示することができる。【００８１】
図１９は、表示部５５に表示される表示優先度選択メニュー６２の一例を示す。表示優先度選択メニュー６２は、標準選択ボタン６２ａと、大きさ優先ボタン６２ｂと、表示枚数優先ボタン６２ｃとから構成され、撮影者はいずれかのボタンを選択可能である。【００８２】
まず、撮影者は図１８で示した表示画像種類選択メニュー６４から、表示部に表示させる画像の種類を選択する。その後、撮影者はＭＥＮＵ設定操作部３９を操作して表示部５５に表示優先度選択メニュー６２を表示させ、いずれかのボタンを選択する。ここでは一例として、画像の種類がアスペクト比４：３でかつ横画像である場合において、表示サイズを優先させた表示例と表示枚数を優先させた表示例について説明する。【００８３】
図１９中、撮影者が表示優先度選択メニュー６２のうち、標準選択ボタン６２ａを選択した場合、画像表示制御部１３は、あらかじめ設定された表示枚数および表示サイズでアスペクト比４：３の横画像Ｓｈを表示部５５に表示する。図２０Ａは、標準選択ボタン６２ａが選択された場合のサムネイル表示例である。図２０Ａに示すように、表示部５５には縦方向に３枚、横方向に３枚の合計９枚のアスペクト比４：３の横画像Ｓｈが表示される。以下、あらかじめ設定された表示枚数、表示サイズおよび表示位置にて各サムネイル画像を表示するレイアウトを標準レイアウトという。【００８４】
撮影者が表示優先度選択メニュー６２のうち、大きさ優先ボタン６２ｂを選択した場合、表示部５５には表示サイズが優先されて各サムネイル画像が表示される。すなわち、画像表示制御部１３は標準レイアウトと比べて大きな表示サイズで各サムネイル画像Ｓｈを表示する。図２０Ｂは、大きさ優先ボタン６２ｂが選択された場合のサムネイル表示例を示す。図２０Ｂに示すように、各サムネイル画像Ｓｈは、標準レイアウトにしたがって表示される場合と比べて大きな表示サイズで表示されるので、撮影者は容易に画像の確認を行うことができる。【００８５】
また、撮影者が表示優先度選択メニュー６２のうち、表示枚数優先ボタン６２ｃを選択した場合、表示枚数が優先されたサムネイル表示が行われる。すなわち、画像表示制御部１３は標準レイアウトと比べて多くのサムネイル画像を表示部５５に表示する。図２０Ｃは、表示枚数優先ボタン６２ｃが選択された場合のサムネイル表示例を示す。図２０Ｃに示すように、表示部５５には縦方向に４枚、横方向に４枚の合計１６枚のアスペクト比４：３の横画像Ｓｈが表示される。このように、標準レイアウトと比べて多くのサムネイル画像を表示することができるので、撮影者は一度に多くの画像を確認することができる。なお、図２０ではアスペクト比４：３の横画像Ｓｈを表示させる場合について説明したが、他の種類の画像についても同様の表示処理が行われる。【００８６】
以上のように、本実施の形態に係るデジタルカメラは、アスペクト比判別信号に加えて、さらに姿勢判別信号を画像信号とともに記録するので、撮影画像を撮影時の姿勢に復元して表示することができる。また、本実施の形態に係るデジタルカメラは、アスペクト比および撮影姿勢毎に撮影画像を容易に抽出でき、アスペクト比および撮影時の撮影姿勢が等しい画像のみをサムネイル表示することができる。これにより、アスペクト比および撮影姿勢の異なる画像が混在して表示されることがなく、視認性のよいサムネイル表示が可能となる。【００８７】
また、本実施の形態に係るデジタルカメラは、各サムネイル画像の表示サイズや表示枚数を優先させて表示することができる。表示サイズを優先させることにより、表示部には従来よりも大きな表示サイズのサムネイル画像が表示されるので、さらに視認性を向上させることができる。また、表示枚数を優先させることにより、従来よりも多くのサムネイル画像を表示することができるので、撮影者は一度に多くの画像を視認することができ、利便性の高いデジタルカメラを提供できる。【００８８】
なお、本実施の形態において、画像の種類を選択するための表示画像種類選択メニュー６４は、実施の形態１におけるアスペクト比選択メニュー６５を含む構成としたが、これに限られない。例えば、画像の種類を選択するためのメニュー画面は、撮影姿勢に基づく選択画面とアスペクト比に基づく選択画面とを分けてもよく、例えば所望の撮影姿勢を選択した後、アスペクト比を選択する構成としてもよい。【００８９】
なお、本実施の形態における画像記録部には、撮影姿勢別フォルダの下の階層にアスペクト比別フォルダが形成されたが、これに限られない。アスペクト比別フォルダの下の階層に撮影姿勢別のフォルダが形成されてもよい。また、撮影姿勢別フォルダおよびアスペクト比別フォルダとが同階層に形成されてもよい。【００９０】
なお、本実施の形態において、撮影者は表示画像種類選択メニュー６４において画像の種類を選択した後、表示優先度選択メニュー６２において優先度を選択したが、これに限られない。表示優先度選択メニュー６２にて優先度が選択された後、表示画像種類選択メニュー６４にて画像の種類が選択される構成としてもよい。【００９１】
なお、本実施の形態に係るデジタルカメラは、図１６および図１７に示したように画像信号を格納すべきフォルダを撮影前に決定したが、これに限られない。例えば、撮影後にアスペクト比判別信号および姿勢判別信号に基づいて格納すべきフォルダを決定してもよいし、撮影後にユーザが設定してもよい。【００９２】
（実施の形態３）
図２１は、実施の形態３に係るデジタルカメラ２００の概略構成を示すブロック図である。デジタルカメラ２００は、実施の形態１および２のデジタルカメラとほぼ同様の構成を備えるが、さらにレイアウト格納部１５０を備える点で異なる。以下、実施の形態１および２と異なる点を中心に説明する。【００９３】
レイアウト格納部１５０は、表示部５５における各サムネイル画像の表示位置や表示枚数、表示サイズを示すレイアウトを格納する。本実施の形態において、レイアウト格納部１５０には複数のレイアウトが格納されており、画像の種類や優先度に応じて表示部５５における表示位置や表示枚数、表示サイズが変更されてサムネイル表示される。上述のように画像の種類は、画像信号に付加されたアスペクト比判別信号６１や姿勢判別信号６０に基づいて定められ、例えばアスペクト比や撮影時の撮影姿勢ごとに分類される。また優先度は、例えばサムネイル画像の表示サイズや表示枚数に基づいて定められ、図１９で示した表示優先度選択メニュー６２を介して撮影者により設定される。【００９４】
画像表示制御部１３は、撮影者によって選択された画像の種類や優先度に応じてレイアウト格納部１５０から所定のレイアウトを抽出し、抽出したレイアウトにしたがって各サムネイル画像を表示する。また、撮影者はＭＥＮＵ設定操作部３９、十字操作キー３８およびＳＥＴ操作部４０を操作して、所望のレイアウトを選択することも可能である。【００９５】
次に、レイアウト格納部１５０に格納されるレイアウトについて説明する。図２２〜図２７は、撮影姿勢やアスペクト比等の画像の種類が等しい場合に用いられるレイアウトの一例である。なお、アスペクト比４：３の横画像をサムネイル表示するレイアウト例は図２０と同様であり、ここでは説明を省略する。【００９６】
図２２Ａ〜Ｃは、アスペクト比４：３の縦画像をサムネイル表示するレイアウト例である。図２２Ａは標準レイアウト、図２２Ｂは表示サイズ優先レイアウト、図２２Ｃは表示枚数優先レイアウトを示す。撮影者が図１８に示す表示優先度選択メニューのうち標準選択ボタン６２ａを選択すると、画像表示制御部１３はレイアウト格納部１５０から図２２Ａに示す標準レイアウトを抽出し、抽出したレイアウトにしたがってアスペクト比４：３の縦画像Ｓｖを表示する。これにより、表示部５５には縦方向に３枚、横方向に３枚の合計９枚のアスペクト比４：３の縦画像Ｓｖが表示される。一方、撮影者が表示優先度選択メニューのうち大きさ優先ボタン６２ｂを選択すると、画像表示制御部１３は図２２Ｂに示す表示サイズ優先レイアウトにしたがって縦画像Ｓｖを表示する。これにより、各縦画像Ｓｖは標準レイアウト（図２２Ａ）と比べて大きな表示サイズで表示部５５に表示される。撮影者が表示枚数優先ボタン６２ｃを選択すると、画像表示制御部１３は図２２Ｃに示す表示枚数レイアウトにしたがって縦画像Ｓｖを表示する。これにより、表示部５５には標準レイアウト（図２２Ａ）と比べて多くのサムネイル画像が表示される。【００９７】
図２３Ａ〜Ｃは、アスペクト比１６：９の横画像をサムネイル表示するレイアウト例である。図２３Ａは標準レイアウト、図２３Ｂは表示サイズ優先レイアウト、図２３Ｃは表示枚数優先レイアウトを示す。図２３Ａの標準レイアウトに示すように、アスペクト比１６：９の横画像Ｗｈの短辺長は、アスペクト比４：３の横画像の短辺長と比べて短くなるので、表示部５５には縦方向に４枚、横方向に３枚の合計１２枚の横画像Ｗｈを表示することができ、表示部５５の表示領域を有効に活用したサムネイル表示が可能である。また、図２３ＢおよびＣに示すように、表示サイズあるいは表示枚数を優先させるレイアウトについても同様に、表示部５５の表示領域を有効に活用したサムネイル表示が可能である。【００９８】
図２４Ａ〜Ｃは、アスペクト比１６：９の縦画像をサムネイル表示するレイアウト例である。図２４Ａは標準レイアウト、図２４Ｂは表示サイズ優先レイアウト、図２４Ｃは表示枚数優先レイアウトを示す。図２４Ａの標準レイアウトに示すように、画像表示制御部１３は姿勢判別信号６０（１）に基づき画像の方向を９０°回転させて各サムネイル画像を表示する。また、図２４Ａの標準レイアウトに示すように、標準レイアウトはアスペクト比１６：９の縦画像Ｗｖの短辺長はアスペクト比４：３の縦画像Ｓｖの短辺長と比べて短くなるので、表示部５５には縦方向に３枚、横方向に７枚の合計２１枚の縦画像Ｗｖを表示することができ、表示部５５の表示領域を有効に活用したサムネイル表示が可能である。また、図２４ＢおよびＣに示すように、表示サイズあるいは表示枚数を優先させるレイアウトについても同様に、表示部５５の表示領域を有効に活用したサムネイル表示が可能である。【００９９】
図２５Ａ〜Ｃは、アスペクト比に関わらず横画像をサムネイル表示するレイアウト例である。図中、表示部５５にはアスペクト比４：３の横画像Ｓｈとアスペクト比１６：９の横画像Ｗｈとが混在されて表示される。図２５Ａ、Ｂは標準レイアウトを示し、図２５Ｃは表示サイズ優先レイアウトを示す。図２５Ａ〜Ｃに示すように、異なるアスペクト比を有する画像を混在させて表示する場合には、等しいアスペクト比を有する画像をまとめて配置して表示される。【０１００】
また同様に、アスペクト比に関わらず縦画像をサムネイル表示する場合についても、等しいアスペクト比を有する画像をまとめて配置して表示される。なお、上述のように縦撮り姿勢にて撮影された画像は、画像表示制御部１３により画像の方向が９０°回転されて縦画像として表示される。図２６は縦画像をサムネイル表示するレイアウト例である。図２６Ａ〜Ｃは標準レイアウト、図２６Ｄは表示サイズ優先レイアウトの一例である。図２５および図２６に示すように、異なるアスペクト比を有する画像が混在して表示される場合であっても、アスペクト比の等しい画像をまとめて配置することにより各画像間に不要な余白が形成されることがなく視認性のよいサムネイル表示が可能である。【０１０１】
図２７Ａ〜Ｅは、撮影姿勢に関わらずアスペクト比が４：３の画像をサムネイル表示するレイアウト例である。図中、表示部５５にはアスペクト比４：３の横画像Ｓｈと縦画像Ｓｖとが混在して表示される。図２７Ａ〜Ｃは標準レイアウト、図２７Ｄ、Ｅは表示サイズ優先レイアウト例を示す。図２７に示すように、横画像と縦画像とが混在して表示される場合には、同じ撮影姿勢で撮影された画像をまとめて配置して表示される。なお、縦撮り姿勢で撮影された画像は、画像表示制御部１３により画像の方向が９０°回転されて縦画像として表示される。同様に、図２８Ａ〜Ｅは撮影姿勢に関わらずアスペクト比が１６：９の画像をサムネイル表示させるレイアウト例を示す。図２８Ａ〜Ｃは標準レイアウト、図２８Ｄ、Ｅは表示サイズ優先レイアウトの一例である。図２７および図２８に示すように、横画像と縦画像とが混在して表示される場合であっても、横画像および縦画像をそれぞれまとめて配置することにより、各画像間に不要な余白が形成されることがなく視認性のよいサムネイル表示が可能である。【０１０２】
さらに図２９Ａ〜Ｅは、撮影姿勢およびアスペクト比に関わらず画像記録部１２に記録された全ての画像をサムネイル表示するレイアウト例である。図２９Ａ〜Ｅに示すように、各サムネイル画像は、アスペクト比および撮影姿勢の等しい画像をまとめて配置されて表示される。これにより、各画像間に不要な余白が形成されることがなく視認性のよいサムネイル表示が可能である。【０１０３】
なお、各サムネイル画像を表示する順序は、例えば画像の種類毎にそれぞれ撮影日時の古いものから順に表示してもよい。図３０Ａ〜Ｅは、図２９Ａ〜Ｅに示したレイアウトを例に、画像の表示順序を説明するための図である。図中、サムネイル画像は、画像種類毎に撮影日時の古いものから順に表示部５５の左側から右側にかけて矢印の方向にしたがって表示される。【０１０４】
以上のように、本実施の形態に係るデジタルカメラは、複数のレイアウトを格納するレイアウト格納部を備えるので、画像のアスペクト比や撮影時の撮影姿勢に応じて、表示部における各サムネイル画像の表示位置や表示枚数、表示サイズを変更するので視認性の良いサムネイル表示が可能である。【０１０５】
また、本実施の形態に係るデジタルカメラは、各サムネイル画像の表示サイズや表示枚数を優先させて表示することができる。表示サイズを優先することにより、各サムネイル画像は大きな表示サイズで表示されるので、撮影者は画像の確認を容易に行うことができる。また、表示枚数を優先して表示することにより、表示部には多くのサムネイル画像が表示されるので、撮影者は一度に多くのサムネイル画像を視認することができ利便性の高いデジタルカメラを提供できる。【０１０６】
なお、本実施の形態において表示部のアスペクト比は４：３としたが、これに限られない。例えば、表示部のアスペクト比が１６：９の場合についても本発明を適用することができる。以下、レイアウト例について列挙すると、図３１Ａ〜Ｃはアスペクト比が４：３の横画像をアスペクト比が１６：９の表示部にサムネイル表示するレイアウト例、図３２Ａ〜Ｃはアスペクト比が４：３の縦画像をサムネイル表示するレイアウト例、図３３Ａ〜Ｃはアスペクト比が１６：９の横画像をサムネイル表示するレイアウト例、図３４Ａ〜Ｃはアスペクト比が１６：９の縦画像をサムネイル表示するレイアウト例、図３５Ａ〜Ｃは横画像をサムネイル表示するレイアウト例、図３６Ａ〜Ｃは縦画像をサムネイル表示するレイアウト例、図３７Ａ〜Ｃはアスペクト比が４：３の画像をサムネイル表示するレイアウト例、図３８Ａ〜Ｃはアスペクト比が１６：９の画像をサムネイル表示するレイアウト例である。なお、各図Ａ、Ｂは標準レイアウトを示し、図Ｃは表示サイズ優先レイアウトを示す。【０１０７】
なお、本実施の形態に係るデジタルカメラは、サムネイル画像をレイアウトにしたがって表示したが、これに限られない。画像信号が格納される画像ファイルに対して、表示サイズおよび配置位置、表示枚数を示す情報を付加し、付加された情報にしたがって各サムネイル画像が表示されてもよい。【０１０８】
（実施の形態４）
図３９は、実施の形態４に係るデジタルカメラおよび表示装置を示している。本実施の形態に係るデジタルカメラは、実施の形態１〜３とほぼ等しい構成を持つが、撮影画像およびサムネイル画像は、撮像装置に接続された外部の表示装置に表示させる点で異なる。図３９に示すように、デジタルカメラ１の画像記録部に姿勢情報とともに記録された撮影画像は、ケーブル７５を介して、テレビモニタ等の表示装置７０に表示される。ケーブル７５は、例えばＵＳＢ（Ｕｎｉｖｅｒｓａｌ  Ｓｅｒｉａｌ  Ｂｕｓ）ケーブルを用いる。表示装置７０に表示される画像は、デジタルカメラ１の画像表示制御部１３により制御されるため、実施の形態１〜３と同様に、表示する画像の方向を撮影時の姿勢を復元するとともに、画像のアスペクト比や撮影姿勢、優先度に応じて表示位置や表示枚数、表示サイズ等を変更して各サムネイル画像を外部の表示装置に表示することができる。【０１０９】
以上の構成により、デジタルカメラを操作することにより、外部のテレビモニタ等に視認性を向上させたサムネイル表示を行うことができるので、デジタルカメラに表示部が設けられていない場合や、撮影画像をさらに大きな表示サイズで表示したい場合に効果的である。【０１１０】
なお、本実施の形態において、外部の表示装置はテレビモニタを用いた例を示したが、これに限られない。例えば、モニタに接続されたパーソナルコンピュータとケーブルを介して接続する構成としてもよい。【０１１１】
なお、本実施の形態において、ケーブル７５は、ＵＳＢケーブルを用いた例を示したがこれに限られない。例えば、ＩＥＥＥ１３９４シリアルバス用ケーブルや、無線ＬＡＮ等の無線により接続してもよい。【０１１２】
（実施の形態５）
図４０は、実施の形態５に係る表示制御装置を示している。本実施の形態に含まれるデジタルカメラは、実施の形態１〜４とほぼ等しい構成を持つが、実施の形態１〜４においてデジタルカメラにより行われた表示制御は、表示制御装置８２により行われる点で異なる。例えば、表示制御装置８２は画像処理ソフトを備えたパーソナルコンピュータとモニタなどに相当する。デジタルカメラ１により撮影された画像は、サムネイル画像と姿勢判別信号とアスペクト比判別信号とともに、着脱可能なメモリーカードなどのリムーバブルメモリ５１に記録される。なお、リムーバブルメモリ５１はメモリーカードに限られず、ハードディスクや光ディスクなどでもよい。撮影画像は、リムーバブルメモリ５１の読み出しが可能なリムーバブルメモリ挿入部８１と、表示制御装置とを備えた表示装置８０に表示される。表示装置に表示される画像は、リムーバブルメモリ５１に記録された姿勢判別信号６０やアスペクト比判別信号６１に基づいて、表示制御装置により実施の形態１〜３と同様の表示制御が行われる。【０１１３】
以上の構成により、本実施の形態に係る表示制御装置８２は、デジタルカメラ１により得られた撮影画像とサムネイル画像と姿勢判別信号とアスペクト比判別信号とを記録したリムーバブルメモリ５１から、これらを読み出し、姿勢情報およびアスペクト比情報に基づいて、実施の形態１〜３と同様の視認性のよいサムネイル画像を表示装置に表示させる。【０１１４】
なお、表示制御装置を備えた表示装置はパーソナルコンピュータの例を示したが、これに限られない。例えば、図４０に示すように、リムーバブルメモリ５１の読み出しが可能なハードディスクレコーダもしくはＤＶＤレコーダ等を介して、テレビモニタに表示してもよい。【０１１５】
なお、本実施の形態において、リムーバブルメモリ挿入部８１を備えた表示装置および表示制御装置を用いる例を示したが、これに限られない。例えば、リムーバブルメモリ５１の読み出しが可能なメモリーカードリーダ等の読み取り装置と、表示制御装置と、表示装置とを接続する構成としてもよい。【０１１６】
なお、実施の形態４または５において、複数のレイアウトを格納するレイアウト格納部はデジタルカメラに備えてもよいし、表示装置あるいは表示制御装置側に備えてもよい。【０１１７】
なお、実施の形態４または５において、撮影画像を外部の表示装置に表示する形態としたがこれに限られない。例えば、プリンタなどの印刷手段と接続する形態としても同様の効果を得ることができる。【０１１８】
なお、実施の形態１〜５において、１つのシャッター操作部を備えたデジタルカメラを用いたが、これに限られない。例えば、横撮り姿勢で撮影するシャッター操作部と、縦撮り姿勢で撮影するシャッター操作部とをそれぞれ単独で搭載し、そのシャッター操作部を使用することにより、撮影姿勢の判別を行ってもよい。【０１１９】
なお、実施の形態１〜５において、撮影画像は静止画像である場合について示したが、動画あるいは簡易動画等についても同様の効果を得ることができる。【０１２０】
なお、本実施の形態１〜５において、撮影姿勢は、横撮り姿勢の場合を０°として光軸を中心に９０°回転させた姿勢を縦撮り姿勢としたが、−９０°回転させた姿勢としても同様の効果を得ることができる。また、−９０゜回転させた姿勢の姿勢判別信号を（２）とし、横姿勢が１種類、縦姿勢が２種類の合計３種類の姿勢を検出できるようにしてもよい。【０１２１】
なお実施の形態１〜５において、姿勢判別信号６０として、（０）または（１）の信号を付加する方法を用いたが、これに限られない。例えば、縦撮り姿勢においてのみ、信号を付加する方法としてもよい。また、姿勢判別信号は、撮影画像に記録する方法に限らず、撮影画像とは別のファイルに記録し、撮影画像と、姿勢判別信号が記録されたファイルとを対応させる方法を用いてもよい。また、アスペクト比判別信号についても同様に、撮影画像と別のファイルに記録されてもよい。【０１２２】
なお、実施の形態１〜５において、撮影画像はアスペクト比切換処理によりアスペクト比が４：３あるいは１６：９に切換えられたが、これに限られない。撮影画像は、３：２などの他のアスペクト比に切換えられてもよい。３つ以上のアスペクト比に切換可能である場合、画像信号に付加されるアスペクト比判別信号はアスペクト比判別信号６１（３）から順次割り当ててもよい。【０１２３】
なお、実施の形態１〜５において、撮像センサおよび撮影画像のアスペクト比は４：３と１６：９の場合について示したが、この２種類に限られることはなく任意である。例えば、撮像センサおよび撮影画像のアスペクト比は３：２などであってもよい。【０１２４】
なお、実施の形態１〜５において、表示部のアスペクト比は４：３や１６：９等の横幅を長辺としたが、これに限られない。縦幅を長辺とする表示部であっても同様の効果を得ることができる。
【産業上の利用可能性】
【０１２５】
本発明の撮像装置、表示制御装置ならびに表示装置は、撮影画像の表示方法に関し快適な表示が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図１】
2007086197.tif 000003
【図２Ａ】
2007086197.tif 000004
【図２Ｂ】
2007086197.tif 000005
【図３】
2007086197.tif 000006
【図４】
2007086197.tif 000007
【図５】
2007086197.tif 000008
【図６】
2007086197.tif 000009
【図７】
2007086197.tif 000010
【図８】
2007086197.tif 000011
【図９】
2007086197.tif 000012
【図１０】
2007086197.tif 000013
【図１１Ａ】
2007086197.tif 000014
【図１１Ｂ】
2007086197.tif 000015
【図１２】
2007086197.tif 000016
【図１３】
2007086197.tif 000017
【図１４】
2007086197.tif 000018
【図１５】
2007086197.tif 000019
【図１６】
2007086197.tif 000020
【図１７】
2007086197.tif 000021
【図１８】
2007086197.tif 000022
【図１９】
2007086197.tif 000023
【図２０Ａ】
2007086197.tif 000024
【図２０Ｂ】
2007086197.tif 000025
【図２０Ｃ】
2007086197.tif 000026
【図２１】
2007086197.tif 000027
【図２２Ａ】
2007086197.tif 000028
【図２２Ｂ】
2007086197.tif 000029
【図２２Ｃ】
2007086197.tif 000030
【図２３Ａ】
2007086197.tif 000031
【図２３Ｂ】
2007086197.tif 000032
【図２３Ｃ】
2007086197.tif 000033
【図２４Ａ】
2007086197.tif 000034
【図２４Ｂ】
2007086197.tif 000035
【図２４Ｃ】
2007086197.tif 000036
【図２５Ａ】
2007086197.tif 000037
【図２５Ｂ】
2007086197.tif 000038
【図２５Ｃ】
2007086197.tif 000039
【図２６Ａ】
2007086197.tif 000040
【図２６Ｂ】
2007086197.tif 000041
【図２６Ｃ】
2007086197.tif 000042
【図２６Ｄ】
2007086197.tif 000043
【図２７Ａ】
2007086197.tif 000044
【図２７Ｂ】
2007086197.tif 000045
【図２７Ｃ】
2007086197.tif 000046
【図２７Ｄ】
2007086197.tif 000047
【図２７Ｅ】
2007086197.tif 000048
【図２８Ａ】
2007086197.tif 000049
【図２８Ｂ】
2007086197.tif 000050
【図２８Ｃ】
2007086197.tif 000051
【図２８Ｄ】
2007086197.tif 000052
【図２８Ｅ】
2007086197.tif 000053
【図２９Ａ】
2007086197.tif 000054
【図２９Ｂ】
2007086197.tif 000055
【図２９Ｃ】
2007086197.tif 000056
【図２９Ｄ】
2007086197.tif 000057
【図２９Ｅ】
2007086197.tif 000058
【図３０Ａ】
2007086197.tif 000059
【図３０Ｂ】
2007086197.tif 000060
【図３０Ｃ】
2007086197.tif 000061
【図３０Ｄ】
2007086197.tif 000062
【図３０Ｅ】
2007086197.tif 000063
【図３１Ａ】
2007086197.tif 000064
【図３１Ｂ】
2007086197.tif 000065
【図３１Ｃ】
2007086197.tif 000066
【図３２Ａ】
2007086197.tif 000067
【図３２Ｂ】
2007086197.tif 000068
【図３２Ｃ】
2007086197.tif 000069
【図３３Ａ】
2007086197.tif 000070
【図３３Ｂ】
2007086197.tif 000071
【図３３Ｃ】
2007086197.tif 000072
【図３４Ａ】
2007086197.tif 000073
【図３４Ｂ】
2007086197.tif 000074
【図３４Ｃ】
2007086197.tif 000075
【図３５Ａ】
2007086197.tif 000076
【図３５Ｂ】
2007086197.tif 000077
【図３５Ｃ】
2007086197.tif 000078
【図３６Ａ】
2007086197.tif 000079
【図３６Ｂ】
2007086197.tif 000080
【図３６Ｃ】
2007086197.tif 000081
【図３７Ａ】
2007086197.tif 000082
【図３７Ｂ】
2007086197.tif 000083
【図３７Ｃ】
2007086197.tif 000084
【図３８Ａ】
2007086197.tif 000085
【図３８Ｂ】
2007086197.tif 000086
【図３８Ｃ】
2007086197.tif 000087
【図３９】
2007086197.tif 000088
【図４０】
2007086197.tif 000089
【図４１Ａ】
2007086197.tif 000090
【図４１Ｂ】
2007086197.tif 000091
【図４１Ｃ】
2007086197.tif 000092
【図４２】
2007086197.tif 000093
【図４３】
2007086197.tif 000094
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
被写体の光学的な像を電気的な画像信号として出力する撮像装置であって、
被写体の光学的な像を形成する撮影光学系と、
前記撮影光学系により形成された被写体の光学的な像を受光し、電気的な画像信号に変換して出力する撮像センサと、
前記出力された画像信号に基づく撮影画像のアスペクト比を切換えるアスペクト比切換部と、
前記出力された画像信号と前記アスペクト比を示すアスペクト比情報とを関連付けて記録する画像記録部と、
前記記録された画像信号に基づく縮小画像を表示可能な表示部と、
前記表示部に表示すべき縮小画像のアスペクト比情報についてユーザの指定を受け付ける指定部と、
前記指定されたアスペクト比情報に応じて前記表示部における各前記縮小画像の配置位置と表示サイズと表示枚数とを決定し、各前記縮小画像を前記表示部に表示させる画像表示制御部とを備える、撮像装置。
【請求項２】
撮影時の前記撮像装置の姿勢を検出する姿勢検出部をさらに備え、
前記画像記録部は、前記画像信号と前記アスペクト比情報と前記検出された姿勢を示す姿勢情報とを関連付けて記録し、
前記指定部は、前記表示部に表示すべき縮小画像のアスペクト比情報および姿勢情報の少なくとも一方を指定し、
前記画像表示制御部は、前記指定されたアスペクト比情報および前記姿勢情報の少なくとも一方の情報に応じて前記表示部における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる、請求項１に記載の撮像装置。
【請求項３】
前記画像表示制御部は、前記アスペクト比情報および前記姿勢情報の少なくとも一方が異なる縮小画像を混在させて前記表示部に表示する場合に、アスペクト比情報および姿勢情報の少なくとも一方が等しい縮小画像を前記表示部における所定の領域にまとめて配置して表示させる、請求項２に記載の撮像装置。
【請求項４】
前記画像表示制御部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる、請求項２に記載の撮像装置。
【請求項５】
前記表示部における各前記縮小画像の配置位置と表示サイズと表示枚数とを示すレイアウトを格納するレイアウト格納部と、
前記表示部における各前記縮小画像の表示サイズと表示枚数のいずれを優先すべきかについてユーザからの指示を受け付ける優先度受付部とをさらに備え、
前記レイアウトは、前記表示部における前記縮小画像の表示枚数を優先する表示枚数優先レイアウトと、各前記縮小画像の表示サイズを優先する表示サイズ優先レイアウトとを含み、
前記画像表示制御部は、前記優先度受付部において受け付けたユーザからの指示に基づいてレイアウトを選択し、当該選択したレイアウトにしたがって各前記縮小画像を前記表示部に表示させる、請求項２に記載の撮像装置。
【請求項６】
前記撮像装置は、アスペクト比情報および姿勢情報の少なくとも一方が等しい画像信号を前記画像記録部における同一のフォルダに記録する画像記録制御部をさらに備える、請求項２に記載の撮像装置。
【請求項７】
被写体の光学的な像を電気的な画像信号として出力し、表示装置に接続可能な撮像装置であって、
被写体の光学的な像を形成する撮影光学系と、
前記撮影光学系により形成された被写体の光学的な像を受光し、電気的な画像信号に変換して出力する撮像センサと、
前記出力された画像信号に基づく撮影画像のアスペクト比を切換えるアスペクト比切換部と、
撮影時の前記撮像装置の姿勢を検出する姿勢検出部と、
前記出力された画像信号と前記アスペクト比を示すアスペクト比情報と前記検出された姿勢を示す姿勢情報とを関連付けて記録する画像記録部と、
前記表示装置に表示すべき縮小画像のアスペクト比情報および姿勢情報の少なくとも一方についてユーザの指定を受け付ける指定部と、
前記指定されたアスペクト比情報および前記姿勢情報の少なくとも一方の情報に応じて前記表示装置における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示装置に表示させる表示制御信号を出力する表示制御信号出力部とを備える、撮像装置。
【請求項８】
前記表示制御信号出力部は、前記アスペクト比情報および前記姿勢情報の少なくとも一方が異なる縮小画像を混在させて前記表示装置に表示する場合に、アスペクト比情報および前記姿勢情報の少なくとも一方が等しい縮小画像を前記表示装置における所定の領域にまとめて配置して表示させる前記表示制御信号を出力する、請求項７に記載の撮像装置。
【請求項９】
前記表示制御信号出力部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示装置に表示させる前記表示制御信号を出力する、請求項７に記載の撮像装置。
【請求項１０】
表示部を有する表示装置に接続可能な表示制御装置であって、
記録部に記録された画像信号と当該画像信号に対応するアスペクト比情報と姿勢情報とを読み出す読み出し部と、
前記表示部に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示部における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる表示制御信号を出力する表示制御信号出力部とを備える、表示制御装置。
【請求項１１】
前記表示制御信号出力部は、前記アスペクト比情報および前記姿勢情報の少なくとも一方が異なる縮小画像を混在させて前記表示部に表示する場合に、前記アスペクト比情報および前記姿勢情報の少なくとも一方が等しい縮小画像を、前記表示部における所定の領域にまとめて配置して表示させる前記表示制御信号を出力する、請求項１０に記載の表示制御装置。
【請求項１２】
前記表示制御信号出力部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる前記表示制御信号を出力する、請求項１０に記載の表示制御装置。
【請求項１３】
前記表示部における各前記縮小画像の配置位置と表示サイズと表示枚数とを示すレイアウトを格納するレイアウト格納部と、
前記表示部における各前記縮小画像の表示サイズと表示枚数のいずれを優先すべきかについてユーザからの指示を受け付ける優先度受付部とをさらに備え、
前記レイアウトは、前記表示部における前記縮小画像の表示枚数を優先する表示枚数優先レイアウトと、各前記縮小画像の表示サイズを優先する表示サイズ優先レイアウトとを含み、
前記表示制御信号出力部は、前記優先度受付部において受け付けたユーザからの指示に基づいてレイアウトを選択し、当該選択したレイアウトにしたがって各前記縮小画像を前記表示部に表示させる前記表示制御信号を出力する、請求項１０に記載の表示制御装置。
【請求項１４】
被写体の光学的な像を電気的な画像信号として出力する撮像装置と、撮影画像を表示する表示装置とを含む画像表示システムであって、
前記撮像装置は、
被写体の光学的な像を形成する撮影光学系と、
前記撮影光学系により形成された被写体の光学的な像を受光し、電気的な画像信号に変換して出力する撮像センサと、
前記出力された画像信号に基づく撮影画像のアスペクト比を切換えるアスペクト比切換部と、
撮影時の前記撮像装置の姿勢を検出する姿勢検出部と、
前記出力された画像信号と前記アスペクト比を示すアスペクト比情報と前記検出された姿勢を示す姿勢情報とを関連付けて記録する画像記録部と、
前記表示装置に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示装置における各前記縮小画像の配置位置と表示サイズと表示枚数とを決定し、かつ前記姿勢情報に基づいて前記縮小画像の天地方向を撮影時における撮像装置の前記姿勢に復元し、復元した縮小画像を前記表示装置に表示させる表示制御信号を出力する表示制御信号出力部とを備え、
前記表示装置は、
前記記録された画像信号と前記出力された表示制御信号とを受信する受信部と、
前記表示制御信号にしたがって各前記画像信号に基づく各縮小画像を表示する表示部とを備える、画像表示システム。
【請求項１５】
前記表示制御信号出力部は、前記アスペクト比情報および前記姿勢情報の少なくとも一方が異なる縮小画像を混在させて前記表示装置に表示する場合に、アスペクト比情報および前記姿勢情報の少なくとも一方が等しい縮小画像を前記表示部における所定の領域にまとめて配置して表示させる前記表示制御信号を出力する、請求項１４に記載の画像表示システム。
【請求項１６】
前記表示制御信号出力部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる前記表示制御信号を出力する、請求項１４に記載の画像表示システム。
【請求項１７】
レンズ鏡筒と前記レンズ鏡筒を交換可能な撮像装置とを含む撮像システムであって、
前記レンズ鏡筒は、
被写体の光学的な像を形成する撮像光学系を備え、
前記撮像装置は、
接続された前記撮像光学系により形成された被写体の光学的な像を受光して、前記光学的な像を電気的な画像信号に変換して出力する撮像センサと、
前記出力された画像信号に基づく撮影画像のアスペクト比を切換えるアスペクト比切換部と、
撮影時の前記撮像装置の姿勢を検出する姿勢検出部と、
前記出力された画像信号と前記アスペクト比を示すアスペクト比情報と前記検出された姿勢を示す姿勢情報とを関連付けて記録する画像記録部と、
前記記録された画像信号に基づく縮小画像を表示する表示部と、
前記表示部に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示部における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる画像表示制御部とを備える、撮像システム。
【請求項１８】
レンズ鏡筒と前記レンズ鏡筒を交換可能な撮像装置とを含む撮像システムであって、
前記レンズ鏡筒は、
被写体の光学的な像を形成する撮像光学系と、
撮影時の前記撮像装置の姿勢を検出する姿勢検出部とを備え、
前記撮像装置は、
接続された前記撮像光学系により形成された被写体の光学的な像を受光して、前記光学的な像を電気的な画像信号に変換して出力する撮像センサと、
前記出力された画像信号に基づく撮影画像のアスペクト比を切換えるアスペクト比切換部と、
前記出力された画像信号と前記アスペクト比を示すアスペクト比情報と前記検出された姿勢を示す姿勢情報とを関連付けて記録する画像記録部と、
前記記録された画像信号に基づく縮小画像を表示可能な表示部と、
前記表示部に表示すべき縮小画像のアスペクト比情報および姿勢情報の少なくとも一方についてユーザの指定を受け付ける指定部と、
前記指定されたアスペクト比情報および姿勢情報の少なくとも一方の情報に応じて前記表示部における各前記縮小画像の配置位置と表示サイズと表示枚数とを決定し、かつ前記姿勢情報に基づいて前記縮小画像の天地方向を撮影時における撮像装置の前記姿勢に復元し、復元した各縮小画像を前記表示部に表示させる画像表示制御部とを備える、撮像システム。
【請求項１９】
前記画像表示制御部は、前記アスペクト比情報および前記姿勢情報の少なくとも一方が異なる縮小画像を混在させて前記表示部に表示する場合に、前記アスペクト比情報および前記姿勢情報の少なくとも一方が等しい縮小画像を、前記表示部における所定の領域にまとめて配置して表示させる、請求項１７または請求項１８に記載の撮像システム。
【請求項２０】
前記画像表示制御部は、前記画像記録部に記録された画像信号のうち、前記指定部により指定されたアスペクト比情報および姿勢情報の少なくとも一方に対応する画像信号を抽出し、当該抽出した画像信号に基づく縮小画像を前記表示部に表示させる、請求項１７または請求項１８に記載の撮像システム。
【手続補正２】
【補正対象書類名】明細書
【補正対象項目名】全文
【補正方法】変更
【補正の内容】
【発明の詳細な説明】
【技術分野】
【０００１】
本発明は、撮像装置により撮影された画像の表示方法に関し、より特定的には、撮像装置の姿勢情報や撮影画像のアスペクト比に基づいて撮影画像の表示方法を制御する撮像装置、表示制御装置および表示装置に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサおよび信号処理回路の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。
【０００３】
図４１Ａ〜４１Ｃは、デジタルカメラの姿勢と表示部に表示される撮影画像の姿勢との関係を示す図である。図４１Ａ〜４１Ｃに示すように、撮影者は撮影意図に応じ、デジタルカメラ５００の姿勢を変化させて撮影を行う。例えば、風景など横長の被写体を撮影する場合、撮影者はデジタルカメラ５００の姿勢を横状態として撮影を行う。一方、人物や建物など縦長の被写体を撮影する場合には、撮影者はデジタルカメラ５００の姿勢を縦状態として撮影を行う。以下、図４１Ａに示すように、シャッターボタンのストローク方向が、重力方向に対して平行になるときのデジタルカメラ５００の姿勢を横撮り姿勢という。一方、図４１Ｂに示すように、シャッターボタンのストローク方向が、重力方向に対して直交するときのデジタルカメラ５００の姿勢を縦撮り姿勢という。また、それぞれの姿勢で撮影された画像を横撮り画像または縦撮り画像という。従来のデジタルカメラ５００において、撮影画像は、撮影時のデジタルカメラ５００の姿勢と同じ向きで表示されていた。すなわち、図４１Ｂに示すように縦撮り姿勢で撮影した画像を、図４１Ｃに示すように、デジタルカメラ５００を横状態として、表示部に表示させた場合、表示される撮影画像の天地方向は撮影時の天地方向と異なって表示される。したがって、縦撮り画像および横撮り画像が混在する一連の撮影画像を表示する際、縦撮り画像の天地が撮影時の天地と異なるために見づらくなるという問題があった。
【０００４】
これ対して、光電変換手段の回転状態を検出する回転状態検出手段と、光電変換手段の出力に基づき得られる画像信号に、撮像時における回転状態情報を付加する付加手段とを備えたデジタルカメラが提案されている（特許文献１）。
【０００５】
特許文献１に記載されたデジタルカメラは、回転状態情報を撮像画像信号に付加することにより、撮影時のデジタルカメラの撮影姿勢を検出し、横撮り姿勢あるいは縦撮り姿勢の撮影画像にかかわらず、撮影時の姿勢に応じた表示を行うことができるとしている。
【０００６】
また一方、従来のデジタルカメラにおいて、記録される撮影画像のアスペクト比はあらかじめ定められた比（例えば横：縦の比が４：３）に固定されていた。そのため、撮影者は異なるアスペクト比で撮影するためには他のアスペクト比で撮影可能なデジタルカメラに交換する必要があった。
【０００７】
また近年、表示画面のアスペクト比を１６：９とするハイビジョン用の表示装置が普及している。このような表示装置にアスペクト比が４：３の撮影画像を表示するためには、撮影者は撮影画像に対してトリミング処理等を施さなければならず煩雑な操作を必要とした。
【０００８】
これに対して、アスペクト比が１６：９および４：３の画像を同一の映像記録媒体に記録することのできる映像記録装置が提案されている（特許文献２）。図４２は、特許文献２に記載された映像記録装置６００の構成概略図である。映像記録装置６００は、スイッチング手段６１２と垂直偏向回路６１１と垂直偏向コイル６０６とを備えるので、異なるアスペクト比での映像を記録することができる。これにより、撮影者は撮影シーンに合わせて任意のアスペクト比で撮影を行うことができる。
【特許文献１】特開２００１−４５３５４号公報
【特許文献２】特開２０００−３６９３４号公報
【発明の開示】
【発明が解決しようとする課題】
【０００９】
デジタルカメラに記録された複数の画像を確認する場合、デジタルカメラに設けられた表示部に撮影画像を一覧表示させる方法がある。図４３は、特許文献１に記載されたデジタルカメラにより撮影された画像を一覧表示させた例を示す。図４３に示すように表示部５５０には一覧表示するために各撮影画像は縮小されて表示される。以下、表示部に複数の縮小画像を一覧表示することをサムネイル表示といい、一覧表示するために縮小された画像をサムネイル画像という。また、横撮り姿勢で撮影された画像に対応するサムネイル画像を横撮りサムネイル画像といい、縦撮り姿勢で撮影された画像に対応するサムネイル画像を縦撮りサムネイル画像という。
【００１０】
図４３に示すように、特許文献１に記載された発明によれば、撮影画像をサムネイル表示する場合、横撮り画像あるいは縦撮り画像にかかわらず、撮影時の姿勢に復元して表示することができる。しかしながら、表示部５５０に表示される縦撮りサムネイル画像は、横撮りサムネイル画像と比べて横方向に表示される範囲が狭く、拡大して表示することができない。したがって、表示部５５０に表示される縦撮りサムネイル画像の大きさは、横撮りサムネイル画像の大きさと比べて小さく表示されることになり、撮影者にとって見づらく、視認性が悪いという問題があった。
【００１１】
また、特許文献２に記載された発明によれば、映像記録装置はアスペクト比の異なる画像を記録することができる。しかしながら、特許文献２はアスペクト比の異なる画像をどのように表示するかについては提案していない。
【００１２】
そこで、本発明の目的は、アスペクト比の異なる画像を記録することができ、かつ視認性がよく快適なサムネイル表示を可能とする撮像装置、表示制御装置、画像表示システムおよび撮像システムを提供することにある。
【課題を解決するための手段】
【００１３】
本発明の目的は、以下の構成を備える撮像装置によって達成される。
被写体の光学的な像を電気的な画像信号として出力する撮像装置であって、
被写体の光学的な像を形成する撮影光学系と、
撮影光学系により形成された被写体の光学的な像を受光し、電気的な画像信号に変換して出力する撮像センサと、
出力された画像信号に基づく撮影画像のアスペクト比を切換えるアスペクト比切換部と、
出力された画像信号とアスペクト比を示すアスペクト比情報とを関連付けて記録する画像記録部と、
記録された画像信号に基づく縮小画像を表示可能な表示部と、
表示部に表示すべき縮小画像のアスペクト比情報についてユーザの指定を受け付ける指定部と、
指定されたアスペクト比情報に応じて表示部における各縮小画像の配置位置と表示サイズと表示枚数とを決定し、各縮小画像を表示部に表示させる画像表示制御部とを備える。
【００１４】
本発明の目的は、以下の構成を備える撮像装置によって達成される。
被写体の光学的な像を電気的な画像信号として出力し、表示装置に接続可能な撮像装置であって、
被写体の光学的な像を形成する撮影光学系と、
撮影光学系により形成された被写体の光学的な像を受光し、電気的な画像信号に変換して出力する撮像センサと、
出力された画像信号に基づく撮影画像のアスペクト比を切換えるアスペクト比切換部と、
撮影時の撮像装置の姿勢を検出する姿勢検出部と、
出力された画像信号とアスペクト比を示すアスペクト比情報と検出された姿勢を示す姿勢情報とを関連付けて記録する画像記録部と、
表示装置に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示装置における各縮小画像の配置位置と表示サイズと表示枚数とを決定し、かつ姿勢情報に基づいて縮小画像の天地方向を撮影時における撮像装置の姿勢に復元し、復元した各縮小画像を表示装置に表示させる表示制御信号を出力する表示制御信号出力部とを備える。
【００１５】
本発明の目的は、以下の構成を備える表示制御装置によって達成される。
表示部を有する表示装置に接続可能な表示制御装置であって、
記録部に記録された画像信号と当該画像信号に対応するアスペクト比情報と姿勢情報とを読み出す読み出し部と、
表示部に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示部における各縮小画像の配置位置と表示サイズと表示枚数とを決定し、かつ姿勢情報に基づいて縮小画像の天地方向を撮影時における撮像装置の姿勢に復元し、復元した各縮小画像を表示部に表示させる表示制御信号を出力する表示制御信号出力部とを備える。
【００１６】
本発明の目的は、以下の構成を備える画像表示システムによって達成される。
被写体の光学的な像を電気的な画像信号として出力する撮像装置と、撮影画像を表示する表示装置とを含む画像表示システムであって、
撮像装置は、
被写体の光学的な像を形成する撮影光学系と、
撮影光学系により形成された被写体の光学的な像を受光し、電気的な画像信号に変換して出力する撮像センサと、
出力された画像信号に基づく撮影画像のアスペクト比を切換えるアスペクト比切換部と、
撮影時の撮像装置の姿勢を検出する姿勢検出部と、
出力された画像信号とアスペクト比を示すアスペクト比情報と検出された姿勢を示す姿勢情報とを関連付けて記録する画像記録部と、
表示装置に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示装置における各縮小画像の配置位置と表示サイズと表示枚数とを決定し、かつ姿勢情報に基づいて縮小画像の天地方向を撮影時における撮像装置の姿勢に復元し、復元した縮小画像を表示装置に表示させる表示制御信号を出力する表示制御信号出力部とを備え、
表示装置は、
記録された画像信号と出力された表示制御信号とを受信する受信部と、
表示制御信号にしたがって各画像信号に基づく各縮小画像を表示する表示部とを備える。
【００１７】
本発明の目的は、以下の構成を備える撮像システムによって達成される。
レンズ鏡筒とレンズ鏡筒を交換可能な撮像装置とを含む撮像システムであって、
レンズ鏡筒は、
被写体の光学的な像を形成する撮像光学系を備え、
撮像装置は、
接続された撮像光学系により形成された被写体の光学的な像を受光して、光学的な像を電気的な画像信号に変換して出力する撮像センサと、
出力された画像信号に基づく撮影画像のアスペクト比を切換えるアスペクト比切換部と、
撮影時の撮像装置の姿勢を検出する姿勢検出部と、
出力された画像信号とアスペクト比を示すアスペクト比情報と検出された姿勢を示す姿勢情報とを関連付けて記録する画像記録部と、
記録された画像信号に基づく縮小画像を表示する表示部と、
表示部に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示装置における各縮小画像の配置位置と表示サイズと表示枚数とを決定し、かつ姿勢情報に基づいて縮小画像の天地方向を撮影時における撮像装置の姿勢に復元し、復元した各縮小画像を表示部に表示させる画像表示制御部とを備える。
【００１８】
本発明の目的は、以下の構成を備える撮像システムによって達成される。
レンズ鏡筒とレンズ鏡筒を交換可能な撮像装置とを含む撮像システムであって、
レンズ鏡筒は、
被写体の光学的な像を形成する撮像光学系と、
撮影時の撮像装置の姿勢を検出する姿勢検出部とを備え、
撮像装置は、
接続された撮像光学系により形成された被写体の光学的な像を受光して、光学的な像を電気的な画像信号に変換して出力する撮像センサと、
出力された画像信号に基づく撮影画像のアスペクト比を切換えるアスペクト比切換部と、
出力された画像信号とアスペクト比を示すアスペクト比情報と検出された姿勢を示す姿勢情報とを関連付けて記録する画像記録部と、
記録された画像信号に基づく縮小画像を表示可能な表示部と、
表示部に表示すべき縮小画像のアスペクト比情報および姿勢情報の少なくとも一方についてユーザの指定を受け付ける指定部と、
指定されたアスペクト比情報および姿勢情報の少なくとも一方の情報に応じて表示部における各縮小画像の配置位置と表示サイズと表示枚数とを決定し、かつ姿勢情報に基づいて縮小画像の天地方向を撮影時における撮像装置の姿勢に復元し、復元した各縮小画像を表示部に表示させる画像表示制御部とを備える。
【発明の効果】
【００１９】
以上のように、本発明によればアスペクト比の異なる画像を記録することができ、かつ視認性がよく快適なサムネイル表示を可能とする撮像装置、表示制御装置、画像表示システムおよび撮像システムを提供することができる。
【発明を実施するための最良の形態】
【００２０】
（実施の形態１）
図１は、本発明の実施の形態１に係るデジタルカメラ１の概略構成を示すブロック図である。図１において、デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２とを備えている。
【００２１】
撮像光学系Ｌは、３つのレンズ群Ｌ１、Ｌ２、Ｌ３を含む光学系である。第１レンズ群Ｌ１が光軸方向に移動することによりズーミングが行われる。第３レンズ群Ｌ３が光軸方向に移動することによりフォーカシングが行われる。第２レンズ群Ｌ２は、補正レンズ群であって、光軸に垂直な面内を移動することにより光軸を偏心させて画像の動きを補正する役割を果たしている。
【００２２】
マイクロコンピュータ３は、デジタルカメラ１の全体を制御する。なお、マイクロコンピュータ３は、電源スイッチ３５、シャッター操作部３６、撮影／再生切換操作部３７、十字操作キー３８、ＭＥＮＵ設定操作部３９およびＳＥＴ操作部４０からの信号をそれぞれ受信可能である。
【００２３】
シャッター操作部３６は、撮影の際に撮影者によって操作される、例えばレリーズボタンである。シャッター操作部３６が操作されると、タイミング信号がマイクロコンピュータ３に出力される。シャッター制御部４１は、タイミング信号を受信したマイクロコンピュータ３から出力される制御信号にしたがって、シャッター駆動モータ４２を駆動し、シャッターを動作させる。
【００２４】
撮像センサ４は、撮影光学系Ｌにより形成される光学的な像を電気的な信号に変換する、例えばＣＣＤである。撮像センサ４は、ＣＣＤ駆動制御部５により駆動制御される。なお、撮像センサ４はＣＭＯＳでもよい。
【００２５】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調、後述するアスペクト比切換処理等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。
【００２６】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて、画像圧縮部１０に送信される。画像圧縮部１０に送信された画像信号のデータは、所定の比率で圧縮されて、そのデータサイズが小さくなる。かかる圧縮方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。また同時に、画像圧縮部１０はサムネイル表示等に用いられる撮影画像に対応した縮小画像信号を生成する。その後、圧縮された画像信号および縮小画像信号は、画像記録部１２へ送信される。
【００２７】
画像記録部１２は、画像記録制御部１１の指令に基づいて、画像信号と、対応する縮小画像信号と、記録すべき所定の情報とを関連付けて記録する、例えば内部メモリおよび／又は着脱可能なリムーバブルメモリである。なお、画像信号とともに記録すべき所定の情報は、画像を撮影した際の日時と、焦点距離情報と、シャッタースピード情報と、絞り値情報と、撮影モード情報と、後述するデジタルカメラ１の姿勢情報とを含む。
【００２８】
画像表示制御部１３は、マイクロコンピュータ３からの制御信号により制御される。この画像表示制御部１３の指令により、表示部５５は、画像記録部１２あるいはバッファメモリ９に記録された画像信号および縮小画像信号を可視画像として表示する、例えば液晶モニタである。なお本実施の形態では、表示部５５のアスペクト比が４：３の場合について説明する。
【００２９】
ここで表示部５５の表示形態としては、画像信号のみを可視画像として表示する表示形態と、画像信号と撮影時の情報とを可視画像として表示する表示形態とがある。なお、画像信号の撮影時の情報は、焦点距離情報と、シャッタースピード情報と、絞り値情報と、撮影モード情報と、合焦状態情報と、姿勢情報とを含む。これらの情報は、撮影者がＭＥＮＵ設定操作部３９を操作することにより表示される。
【００３０】
次に、実施の形態１に係るデジタルカメラ１の構成について、図２Ａ及び２Ｂを用いて説明する。図２Ａはデジタルカメラ１の上面図、図２Ｂはデジタルカメラ１の背面図である。
【００３１】
筐体１ａは、前面にレンズ２を含む撮像光学系を備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部５７とを備える。
【００３２】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えられる。また撮影モードに切換えられた状態で、ズーム操作部５７を右方向へ回動させると、撮影光学系Ｌは望遠側へ切換えられる。一方、ズーム操作部５７を左方向へ回動させると撮影光学系Ｌは広角側へ切換えられる。
【００３３】
ＭＥＮＵ設定操作部３９は、表示部５５に各種メニューを表示させるための操作部材である。十字操作キー３８は、ＭＥＮＵ設定操作部３９の操作により表示部５５に表示された各種操作メニューから、上下左右の部位を押圧して選択するための操作部材である。十字操作キー３８により各種操作メニューが選択されると、マイクロコンピュータ３は選択されたメニューの実行指令を出す。ＳＥＴ操作部４０は、各種操作メニューの表示を表示前の状態に戻すための操作部材である。
【００３４】
次に、撮影画像のアスペクト比を切換える処理について図３〜図５を用いて説明する。図３は表示部５５に表示されるアスペクト比切換メニュー６９の一例を示し、図４はアスペクト比が４：３の横画像Ｓｈと１６：９の横画像Ｗｈとの関係を示す。また図５は画像のアスペクト比とアスペクト比判別信号との関係を示す。撮影画像のアスペクト比は、基本的に撮像センサ４のアスペクト比に依存する。したがって、例えば撮像センサ４のアスペクト比が４：３である場合には、アスペクト比が４：３の撮影画像が出力される。そこで、本実施の形態に係るデジタルカメラ１は、撮像センサ４から出力された画像信号に対してアスペクト比切換処理を施すことにより、撮像センサ４のアスペクト比に関わらず任意のアスペクト比の画像を記録できる。ここでは一例として、撮像センサ４のアスペクト比を４：３とし、アスペクト比が４：３および１６：９の画像を記録する場合について説明する。
【００３５】
図３においてアスペクト比切換メニュー６９は、アスペクト比４：３切換ボタン６９ａとアスペクト比１６：９切換ボタン６９ｂとから構成され、撮影者はいずれかのボタンを選択可能である。アスペクト比切換メニュー６９のうちアスペクト比１６：９切換ボタン６９ｂが選択されると、デジタル信号処理部８は撮像センサ４から出力された画像信号に対してアスペクト比を変更するための画像処理を施す。すなわち、図４に示すようにデジタル信号処理部８は、アスペクト比が４：３の撮影画像Ｓｈの画像信号に対して上下部分（図中の斜線部）を切り取る処理を施して、アスペクト比が１６：９の画像Ｗｈの画像信号を生成する。そして画像記録制御部１１は、生成された画像信号に対してアスペクト比が１６：９であることを示すアスペクト比判別信号６１（４）を付加して画像記録部１２に記録する。アスペクト比判別信号６１は、例えば画像信号のヘッダあるいはフッタ部分に記録される。
【００３６】
一方、アスペクト比切換メニュー６９のうちアスペクト比４：３切換ボタン６９ａが選択された場合、撮像センサ４から出力される画像信号に基づく撮影画像のアスペクト比は４：３であることから、デジタル信号処理部８は画像信号に対して上記の画像処理を行わない。画像記録制御部１１は、アスペクト比が４：３であることを示すアスペクト比判別信号６１（３）を画像信号に付加して画像記録部１２に記録する。
【００３７】
このように、デジタル信号処理部８は撮像センサ４から出力された画像信号に対してアスペクト比切換処理を施すので、撮像センサ４のアスペクト比に関わらず、撮影者が所望するアスペクト比の画像を記録することができる。また、撮影者は撮影画像のアスペクト比を変更するために複雑な操作を行う必要がないので利便性が高い。
【００３８】
次に、撮影画像を記録する画像ファイルの管理方法について図６〜図８を用いて説明する。図６は、画像記録部１２に形成される画像フォルダの一例を示す。図７および図８は、撮影画像の記録処理を示し、記録開始から記録終了までのフローチャートである。図６において、画像記録部１２には、撮影画像フォルダ９０と、その下の階層に静止画像フォルダ９１および動画像フォルダ９２とが形成される。さらに、静止画像フォルダ９１および動画像フォルダ９２のそれぞれ下の階層に、アスペクト比４：３フォルダ９７ａおよび９７ｂとアスペクト比１６：９フォルダ９８ａおよび９８ｂのアスペクト比別に分類されたフォルダが形成される。
【００３９】
撮影された画像は、まず静止画像もしくは動画像別のフォルダに振り分けられる。その後、画像信号に付加されたアスペクト比判別信号６１に基づいて、撮影画像はアスペクト比別のフォルダに格納される。例えば、静止画撮影モードにおいて撮影されたアスペクト比が４：３の静止画像は、静止画像ファイル９５ａとしてアスペクト比４：３フォルダ９７ａに格納される。一方、動画撮影モードにおいて撮影されたアスペクト比１６：９の動画像は、動画像ファイル９６ｂとしてアスペクト比１６：９フォルダ９８ｂに格納される。
【００４０】
次に撮影画像の記録処理について説明する。図７において、まず撮影者は撮影画像を記録するためにＭＥＮＵ設定操作部３９を操作して、表示部５５に各種メニュー画面を表示させる。撮影者は、表示された各種メニュー画面から画像記録モードを選択する。これによりデジタルカメラ１は、図７に示す記録処理を開始する。まずステップＳ１において、マイクロコンピュータ３は撮影モードの判定処理を行う。すなわち、マイクロコンピュータ３はデジタルカメラ１が静止画撮影モードまたは動画撮影モードのいずれに選択されているのかを判定する。静止画撮影モードと判定された場合にはデジタルカメラ１の処理はステップＳ２へ移行し、一方、動画像撮影モードと判定された場合には図８に示す処理Ａへ移行する。
【００４１】
まず、ステップＳ１において静止画撮影モードと判定された場合の処理（ステップＳ２〜Ｓ７）について説明する。ステップＳ２において、マイクロコンピュータ３は、撮影画像の記録先ディレクトリを静止画像フォルダ９１に設定する。次にステップＳ３では撮影画像のアスペクト比が判定される。すなわちステップＳ３では、画像信号に付加されたアスペクト比判別信号６１が（３）の場合はアスペクト比を４：３と判定し、（４）の場合はアスペクト比を１６：９と判定する。ステップＳ３においてアスペクト比が４：３と判定された場合にはデジタルカメラ１の処理はステップＳ４へ移行し、アスペクト比を１６：９と判定された場合にはステップＳ５の処理へ移行する。
【００４２】
ステップＳ４においてマイクロコンピュータ３は、撮影画像の記録先フォルダをアスペクト比４：３フォルダ９７ａに設定する。一方、ステップＳ５においてマイクロコンピュータ３は、撮影画像の記録先フォルダをアスペクト比１６：９フォルダ９８ａに設定する。ステップＳ４、Ｓ５の処理により、静止画像の記録先のフォルダが決定されると、続いてステップＳ６の処理が行われる。
【００４３】
ステップＳ６では、撮影者からシャッター操作部３６の操作を受け付ける。シャッター操作部３６が押されたことを判定すると、デジタルカメラ１の処理はステップＳ７へ移行して静止画撮影処理が行われ、被写体の光学的な像が画像信号として出力される。静止画撮影処理が終了すると、画像信号は所定のフォルダに格納され、記録処理を終了する。
【００４４】
次に、ステップＳ２において動画撮影モードと判定された場合の処理Ａについて図８を用いて説明する。まずステップＳ８において、マイクロコンピュータ３は撮影画像の記録先ディレクトリを動画像フォルダ９２に設定する。次にステップＳ９では、撮影画像のアスペクト比が判定される。すなわちステップＳ９では、図７のステップＳ３と同様に、画像信号に付加されたアスペクト比判別信号６１に基づいて、アスペクト比の判定処理を行う。デジタルカメラ１は、アスペクト比を４：３と判定した場合にはステップＳ１０の処理へ移行し、アスペクト比を１６：９と判定した場合にはステップＳ１１の処理へ移行する。
【００４５】
ステップＳ１０においてマイクロコンピュータ３は、撮影画像の記録先フォルダをアスペクト比４：３フォルダ９７ｂに設定する。一方、ステップＳ１１においてマイクロコンピュータ３は、撮影画像の記録先フォルダをアスペクト比１６：９フォルダ９８ｂに設定する。ステップＳ１０およびＳ１１の処理により、動画像の記録先のフォルダが決定されると、続いてステップＳ１２の処理が行われる。
【００４６】
ステップＳ１２では、撮影者からシャッター操作部３６の操作を受け付ける。シャッター操作部３６が押されたことを判定すると、デジタルカメラ１の処理はステップＳ１３へ移行して動画像撮影処理が行われる。動画撮影処理が終了すると、撮影画像は所定のフォルダに格納され、記録処理を終了する。以上の処理により撮影画像がデジタルカメラ１の画像記録部１２に記録される。
【００４７】
次に、デジタルカメラ１により撮影された画像の表示処理について説明する。撮影画像を表示部５５に表示するために、撮影者はまずデジタルカメラ１の電源スイッチ３５をＯＮにする。その後、撮影者が撮影／再生切換操作部３７を再生モードに切換えると、表示部５５には撮影画像がサムネイル表示される。図９Ａ〜９Ｃは複数の撮影画像をサムネイル表示させた表示部５５の表示例を示す。図９Ａに示すように、撮影画像は撮影された順番でアスペクト比が４：３の画像Ｓｈと１６：９の画像Ｗｈとを混在させて表示してもよい。かかる場合、表示部５５には縦方向に３枚、横方向に３枚の合計９枚のサムネイル画像が表示される。また他の表示例として、図９ＢおよびＣに示すように同じアスペクト比を有する画像をまとめて配置して表示してもよい。例えば図９Ｃに示すように各サムネイル画像の配置位置を変更することにより、表示部５５には合計１０枚のサムネイル画像の表示が可能となり、表示部５５の表示領域を有効に活用できる。
【００４８】
さらに本実施の形態に係るデジタルカメラ１は、アスペクト比が等しい画像のみをサムネイル表示することができる。図１０は、表示部５５に表示されるアスペクト比選択メニュー６５の表示例であり、図１１Ａ及び１１Ｂは表示部５５に表示されたサムネイル表示例である。
【００４９】
撮影者がＭＥＮＵ設定操作部３９を操作すると表示部５５には図１０に示すアスペクト比選択メニュー６５が表示される。図１０中、アスペクト比選択メニュー６５は、アスペクト比４：３選択ボタン６５ａとアスペクト比１６：９選択ボタン６５ｂとから構成され、撮影者はいずれかのボタンを選択可能である。
【００５０】
アスペクト比４：３選択ボタン６５ａが選択されると、マイクロコンピュータ３は画像記録部１２に記録された撮影画像のうち、アスペクト比４：３フォルダ９７ａに格納された静止画像を抽出する。さらに画像表示制御部１３は、図１１Ａに示すように、アスペクト比４：３の静止画像Ｓｈのみを、抽出した順番で表示部５５にサムネイル表示する。すなわち、表示部５５には縦方向に３枚、横方向に３枚の合計９枚のアスペクト比４：３のサムネイル画像のみが表示される。
【００５１】
一方、アスペクト比１６：９選択ボタン６５ｂが選択されると、マイクロコンピュータ３は画像記録部１２に記録された撮影画像のうち、アスペクト比１６：９フォルダ９７ｂに格納された静止画像を抽出する。さらに画像表示制御部１３は、図１１Ｂに示すように、アスペクト比１６：９の静止画像Ｗｈのみを、抽出した順番で表示部５５にサムネイル表示する。すなわち、表示部５５には縦方向に３枚、横方向に３枚の合計９枚のアスペクト比１６：９のサムネイル画像のみが表示される。このように、撮影画像はアスペクト比別に管理されているので、アスペクト比の等しい画像のみを容易に抽出することができ、サムネイル表示が可能である。
【００５２】
なお、図１１Ａおよび１１Ｂにおいて、撮影者は表示部５５に表示されたサムネイル画像の中から十字操作キー３８を用いて所望の画像を選択することができる。画像が選択されると表示部５５には、選択画像が大きく拡大されて表示される。
【００５３】
以上のように、本実施の形態に係るデジタルカメラは、アスペクト比判別信号を撮影画像とともに記録するので、撮影画像をアスペクト比別に管理することができる。これにより、アスペクト比の等しい画像のみを容易に抽出し、サムネイル表示することができる。したがって、アスペクト比の異なる画像が混在して表示されず、視認性のよい快適なサムネイル表示が可能である。
【００５４】
また、本実施の形態に係るデジタルカメラは、アスペクト比の異なる画像を混在させて表示する場合、各サムネイル画像の表示位置や表示枚数等を変更してサムネイル表示を行うので、表示部の表示領域を有効に活用でき、視認性を向上させることができる。
【００５５】
また、本実施の形態に係るデジタルカメラは、撮像センサのアスペクト比に関わらず、撮影画像のアスペクト比を変更することができるので、撮影者はトリミング処理等の煩雑な操作を行うことなくアスペクト比の異なる画像を記録することができる。
【００５６】
なお、本実施の形態に係るデジタルカメラは、アスペクト比が４：３の撮像センサを備えたが、これに限られない。他のアスペクト比を有する撮像センサでもよく、例えば１６：９や３：２のアスペクト比を有する撮像センサでもよい。アスペクト比が１６：９の撮像センサを用いた場合、撮像センサ４はアスペクト比が１６：９の撮影画像を出力する。したがって、図４に示すアスペクト比切換メニュー６９からアスペクト比４：３切換ボタン６９ａが選択された場合、デジタル信号処理部８は画像信号に対してアスペクト比切換処理を施す。図１２は、アスペクト比が４：３の撮影画像Ｓｈとアスペクト比が１６：９の撮影画像Ｗｈとの関係を示す。図１２に示すように、デジタル信号処理部８は、撮像センサ４から出力されたアスペクト比１６：９の撮影画像Ｗｈの画像信号から左右部分（図１２の斜線部）を切り取る処理を施してアスペクト比が４：３となる画像信号を出力する。
【００５７】
なお、本実施の形態において、画像信号に対するアスペクト比切換処理は、画像信号が撮像センサから出力されたあと、画像記録部に記録される間のいずれにおいて行われてもよい。また、アスペクト比判別信号を付加するタイミングは、撮影画像をバッファメモリまたは画像記録部に格納するいずれにおいて行われてもよい。
【００５８】
なお、本実施の形態に係るデジタルカメラは、図７および図８に示したように画像信号を格納すべきフォルダを撮影前に決定したが、これに限られない。例えば、撮影後にアスペクト比判別信号に基づいて格納すべきフォルダを決定してもよいし、撮影後にユーザが設定してもよい。
【００５９】
（実施の形態２）
図１３は、実施の形態２に係るデジタルカメラ１００の概略構成を示すブロック図である。本実施の形態に係るデジタルカメラ１００は、実施の形態１に係るデジタルカメラ１とほぼ同様の構成を備えるが、デジタルカメラの姿勢を検出する姿勢検出部４３をさらに備える点で異なる。以下、実施の形態１と異なる点を中心に説明する。
【００６０】
姿勢検出部４３は、デジタルカメラ１００の姿勢を検出し、撮影画像の天地方向を判別する。現在、デジタルカメラ１００の姿勢を検出する手段として、様々な姿勢検出方法が提案されている。その一例として特許文献１に開示されているように、回転検出部を備えたデジタルカメラが提案されている。さらに他の例として、デジタルカメラに加わる振動を検知して、撮像光学系の補正レンズを光軸と直交する２方向に駆動する像ブレ補正部を備えたデジタルカメラが提案されている。かかる像ブレ補正部を備えたデジタルカメラは、像ブレ補正部から出力される補正レンズへの駆動信号を検出することにより、デジタルカメラの姿勢を判別する。本実施の形態に係るデジタルカメラ１００は、上述の方法により姿勢を検出する姿勢検出部を備えてもよいし、また、これらに限らずデジタルカメラに角速度センサ等を取り付けてもよい。なお、上述した姿勢検出方法は一例であって、これらの方法によらず姿勢を検出する構成を備えていればよい。
【００６１】
次に、姿勢検出部４３を備えるデジタルカメラ１００による撮影処理について説明する。撮影を開始するために撮影者は、電源スイッチ３５をＯＮ側に操作した後、撮影／再生切換操作部３７を撮影モードに切換える。これにより、デジタルカメラ１００は撮影状態へ移行する。撮影者が横撮り姿勢で風景など横長の被写体を撮影するためにデジタルカメラ１００を横撮り姿勢にすると、マイクロコンピュータ３は姿勢検出部４３からの出力値に基づいてデジタルカメラ１００の姿勢が横撮り姿勢であることを認識する。そして撮影者によりシャッター操作部３６が操作されると、撮像センサ４上に形成された被写体の光学的な像は画像信号に変換される。変換後、出力された画像信号は、デジタル信号処理部８によりノイズ除去やアスペクト比切換等の所定の処理が施され、バッファメモリ９を介して画像記録部１２に記録される。このとき、画像記録制御部１１は画像信号に対してカメラの姿勢に応じた姿勢判別信号６０を付加する。図１４は、カメラ姿勢と姿勢判別信号との関係を示す図である。図１４に示すように、横撮り姿勢にて撮影された画像信号に対して画像記録制御部１１は姿勢判別信号６０（０）を付加して画像記録部１２に記録する。かかる姿勢判別信号６０は、例えば画像信号のヘッダ部あるいはフッタ部に付加される。
【００６２】
一方、人物などの縦長の被写体に対して縦撮り姿勢にて撮影された場合には、画像記録制御部１１は画像信号に対して縦撮り姿勢であることを示す姿勢判別信号６０（１）を付加して画像記録部１２に記録する。このように、本実施の形態に係るデジタルカメラ１００は、画像信号を記録する際にアスペクト比判別信号６１に加えて、撮影姿勢を示す姿勢判別信号６０を付加する。
【００６３】
画像表示制御部１３は、かかる姿勢判別信号６０に基づいて表示部５５に表示させる画像を制御する。すなわち、画像表示制御部１３は撮影画像の姿勢を撮影時と同じ姿勢に復元して撮影画像を表示部５５に表示させる。したがって、姿勢判別信号６０（１）が付加された撮影画像は、画像の方向を９０°回転させた状態、すなわち撮影時と同じ姿勢に復元されて表示される。
【００６４】
次に、撮影画像を記録する画像ファイルの管理方法について図１５〜図１７を用いて説明する。本実施の形態における画像ファイルの管理方法は、実施の形態１における管理方法とほぼ同様であるが、図１５に示すように静止画像フォルダ９１および動画像フォルダ９２の下の階層に撮影姿勢別フォルダ９３ａ〜９４ｂが形成される点で異なる。さらに撮影姿勢別フォルダ９３ａ〜９４ｂの下の階層にはアスペクト比別に分類されたフォルダが形成される。
【００６５】
撮影された画像は、まず静止画像もしくは動画像別のフォルダに振り分けられる。その後、撮影画像は姿勢判別信号６０に基づいて撮影姿勢別フォルダ９３ａ〜９４ｂに分けられ、さらにアスペクト比判別信号６１に基づいてアスペクト比別フォルダ９７ａ〜９８ｄに格納される。
【００６６】
図１６および図１７は、撮影画像の記録処理を示し、記録開始から記録終了までのフローチャートである。本実施の形態における記録処理は実施の形態１で示した処理とほぼ同様であるので、ここでは一部を省略して説明する。まず、ステップＳ２０では撮影モードの判定処理が行われる。すなわち、マイクロコンピュータ３は撮影者が静止画像モードあるいは動画像撮影モードのいずれの撮影モードを選択しているのかを判定する。静止画撮影モードと判定された場合にはデジタルカメラ１の処理はステップＳ２１へ移行し、一方、動画像撮影モードと判定された場合には図１７に示す処理Ｂへ移行する。
【００６７】
静止画撮影モードと判定された場合、ステップＳ２１において、画像記録制御部１１は、撮影画像の記録先ディレクトリを静止画像フォルダ９１に設定する。次にステップＳ２２では撮影姿勢が判定される。すなわち、撮影画像に付加される姿勢判別信号６０が（０）の場合は横撮り姿勢と判定して記録先ディレクトリを横姿勢画像フォルダ９３ａに設定する（ステップＳ２３）。一方、姿勢判別信号６０が（１）の場合は縦撮り姿勢と判定して記録先ディレクトリを縦姿勢画像フォルダ９４ａに設定する（ステップＳ２４）。
【００６８】
続くステップＳ２５では、アスペクト比の判定処理が行われる。かかる処理は実施の形態１と同様である。すなわち、マイクロコンピュータ３は撮影画像に付加されたアスペクト比判別信号６１に応じて、記録先ディレクトリをアスペクト比４：３フォルダ９７ａ、９７ｂまたはアスペクト比１６：９フォルダ９８ａ、９８ｂのいずれかに設定する（ステップＳ２６、ステップＳ２７）。
【００６９】
続くステップＳ２８では、撮影者からシャッター操作部３６の操作を受け付ける。シャッター操作部３６が押されたことを判定すると、デジタルカメラ１００の処理はステップＳ２９へ移行して静止画撮影処理を行う。静止画撮影処理が終了すると、撮影画像は設定された記録先ディレクトリに格納され、記録処理を終了する。
【００７０】
一方、ステップＳ２０において動画撮影モードと判定された場合には、図１７に示す処理Ｂが行われる。処理Ｂは、図１６に示したフローチャートとほぼ同様であり、動画像は設定された記録先ディレクトリに格納されて、記録処理を終了する。
【００７１】
次に、デジタルカメラ１００により撮影された画像の表示処理について説明する。本実施の形態に係るデジタルカメラ１００は、等しいアスペクト比判別信号６１あるいは姿勢判別信号６０を有する画像を抽出し表示部５５に表示することができる。図１８は、表示部５５に表示される表示画像種類選択メニュー６４の一例である。ここで、画像の種類は、画像信号に付加されたアスペクト比判別信号６１や姿勢判別信号６０に基づいて定められ、例えばアスペクト比と撮影時の撮影姿勢に応じて分類される。図１８中、表示画像種類選択メニュー６４は、アスペクト比４：３横画像選択ボタン６４ａと、アスペクト比４：３縦画像選択ボタン６４ｂと、アスペクト比１６：９横画像選択ボタン６４ｃと、アスペクト比１６：９縦画像選択ボタン６４ｄと、横画像選択ボタン６４ｅと、縦画像選択ボタン６４ｆと、アスペクト比４：３選択ボタン６４ｇと、アスペクト比１６：９選択ボタン６４ｈとから構成される。
【００７２】
撮影者が表示画像種類選択メニュー６４のうち、アスペクト比４：３横画像選択ボタン６４ａを選択すると、マイクロコンピュータ３は横姿勢画像フォルダ９３ａの下の階層に形成されたアスペクト比４：３フォルダ９７ａ内の画像を抽出する。抽出された画像は、抽出された順番で表示部５５に表示される。これにより、表示部５５には横画像でかつアスペクト比４：３の画像がサムネイル表示される。
【００７３】
また、撮影者が表示画像種類選択メニュー６４のうち、アスペクト比４：３縦画像選択ボタン６４ｂを選択すると、マイクロコンピュータ３は縦姿勢画像フォルダ９４ａの下の階層に形成されたアスペクト比４：３フォルダ９７ｂ内の画像を抽出する。さらに画像表示制御部１３は抽出した画像の方向を９０°回転させて撮影時の姿勢に復元して表示する。これにより、表示部５５には縦画像でかつアスペクト比４：３の撮影画像がサムネイル表示される。
【００７４】
同様にして、撮影者が表示画像種類選択メニュー６４のうち、アスペクト比１６：９横画像選択ボタン６４ｃあるいはアスペクト比１６：９縦画像選択ボタン６４ｄを選択すると、マイクロコンピュータ３はアスペクト比１６：９フォルダ９８ａまたは９８ｂ内の画像を抽出し、表示部５５にはアスペクト比が１６：９でかつ縦画像または横画像がサムネイル表示される。
【００７５】
さらに、アスペクト比に関わらず横画像をサムネイル表示させる場合には、撮影者は横画像選択ボタン６４ｅを選択すればよい。マイクロコンピュータ３は、横姿勢画像フォルダ９３ａの下の階層に形成されたアスペクト比４：３フォルダ９７ａおよびアスペクト比１６：９フォルダ９８ａ内の画像を抽出し、表示部５５には横画像のみが表示される。同様に、アスペクト比に関わらず縦画像をサムネイル表示させる場合には、撮影者は縦画像選択ボタン６４ｆを選択すればよい。
【００７６】
なお、撮影姿勢に関わらずアスペクト比が４：３の画像をサムネイル表示させる場合には、撮影者はアスペクト比４：３選択ボタン６４ｇを選択すればよい。マイクロコンピュータ３は、アスペクト比４：３フォルダ９７ａおよび９８ａに格納された撮影画像を抽出し、表示部５５にはアスペクト比が４：３の画像のみが表示される。このとき、縦撮り姿勢で撮影された画像は、画像表示制御部１３により画像の方向が９０°回転されて表示される。同様に、撮影姿勢に関わらずアスペクト比が１６：９の画像をサムネイル表示させる場合には、撮影者はアスペクト比１６：９選択ボタン６４ｈを選択すればよい。
【００７７】
このように、撮影時の撮影姿勢およびアスペクト比が等しい画像のみを抽出して表示部に表示することができ、また縦撮り姿勢で撮影された画像は撮影時の姿勢に復元されて表示されるので、視認性のよいサムネイル表示が可能である。
【００７８】
さらに本実施の形態に係るデジタルカメラ１００は、撮影画像の表示サイズまたは表示枚数を優先させた表示が可能である。すなわち、デジタルカメラ１００は、表示枚数を優先させると、より多くのサムネイル画像を表示部５５に表示することができる。また、表示サイズを優先させると、より大きな表示サイズで各サムネイル画像を表示することができる。
【００７９】
図１９は、表示部５５に表示される表示優先度選択メニュー６２の一例を示す。表示優先度選択メニュー６２は、標準選択ボタン６２ａと、大きさ優先ボタン６２ｂと、表示枚数優先ボタン６２ｃとから構成され、撮影者はいずれかのボタンを選択可能である。
【００８０】
まず、撮影者は図１８で示した表示画像種類選択メニュー６４から、表示部に表示させる画像の種類を選択する。その後、撮影者はＭＥＮＵ設定操作部３９を操作して表示部５５に表示優先度選択メニュー６２を表示させ、いずれかのボタンを選択する。ここでは一例として、画像の種類がアスペクト比４：３でかつ横画像である場合において、表示サイズを優先させた表示例と表示枚数を優先させた表示例について説明する。
【００８１】
図１９中、撮影者が表示優先度選択メニュー６２のうち、標準選択ボタン６２ａを選択した場合、画像表示制御部１３は、あらかじめ設定された表示枚数および表示サイズでアスペクト比４：３の横画像Ｓｈを表示部５５に表示する。図２０Ａは、標準選択ボタン６２ａが選択された場合のサムネイル表示例である。図２０Ａに示すように、表示部５５には縦方向に３枚、横方向に３枚の合計９枚のアスペクト比４：３の横画像Ｓｈが表示される。以下、あらかじめ設定された表示枚数、表示サイズおよび表示位置にて各サムネイル画像を表示するレイアウトを標準レイアウトという。
【００８２】
撮影者が表示優先度選択メニュー６２のうち、大きさ優先ボタン６２ｂを選択した場合、表示部５５には表示サイズが優先されて各サムネイル画像が表示される。すなわち、画像表示制御部１３は標準レイアウトと比べて大きな表示サイズで各サムネイル画像Ｓｈを表示する。図２０Ｂは、大きさ優先ボタン６２ｂが選択された場合のサムネイル表示例を示す。図２０Ｂに示すように、各サムネイル画像Ｓｈは、標準レイアウトにしたがって表示される場合と比べて大きな表示サイズで表示されるので、撮影者は容易に画像の確認を行うことができる。
【００８３】
また、撮影者が表示優先度選択メニュー６２のうち、表示枚数優先ボタン６２ｃを選択した場合、表示枚数が優先されたサムネイル表示が行われる。すなわち、画像表示制御部１３は標準レイアウトと比べて多くのサムネイル画像を表示部５５に表示する。図２０Ｃは、表示枚数優先ボタン６２ｃが選択された場合のサムネイル表示例を示す。図２０Ｃに示すように、表示部５５には縦方向に４枚、横方向に４枚の合計１６枚のアスペクト比４：３の横画像Ｓｈが表示される。このように、標準レイアウトと比べて多くのサムネイル画像を表示することができるので、撮影者は一度に多くの画像を確認することができる。なお、図２０Ａ〜２０Ｃではアスペクト比４：３の横画像Ｓｈを表示させる場合について説明したが、他の種類の画像についても同様の表示処理が行われる。
【００８４】
以上のように、本実施の形態に係るデジタルカメラは、アスペクト比判別信号に加えて、さらに姿勢判別信号を画像信号とともに記録するので、撮影画像を撮影時の姿勢に復元して表示することができる。また、本実施の形態に係るデジタルカメラは、アスペクト比および撮影姿勢毎に撮影画像を容易に抽出でき、アスペクト比および撮影時の撮影姿勢が等しい画像のみをサムネイル表示することができる。これにより、アスペクト比および撮影姿勢の異なる画像が混在して表示されることがなく、視認性のよいサムネイル表示が可能となる。
【００８５】
また、本実施の形態に係るデジタルカメラは、各サムネイル画像の表示サイズや表示枚数を優先させて表示することができる。表示サイズを優先させることにより、表示部には従来よりも大きな表示サイズのサムネイル画像が表示されるので、さらに視認性を向上させることができる。また、表示枚数を優先させることにより、従来よりも多くのサムネイル画像を表示することができるので、撮影者は一度に多くの画像を視認することができ、利便性の高いデジタルカメラを提供できる。
【００８６】
なお、本実施の形態において、画像の種類を選択するための表示画像種類選択メニュー６４は、実施の形態１におけるアスペクト比選択メニュー６５を含む構成としたが、これに限られない。例えば、画像の種類を選択するためのメニュー画面は、撮影姿勢に基づく選択画面とアスペクト比に基づく選択画面とを分けてもよく、例えば所望の撮影姿勢を選択した後、アスペクト比を選択する構成としてもよい。
【００８７】
なお、本実施の形態における画像記録部には、撮影姿勢別フォルダの下の階層にアスペクト比別フォルダが形成されたが、これに限られない。アスペクト比別フォルダの下の階層に撮影姿勢別のフォルダが形成されてもよい。また、撮影姿勢別フォルダおよびアスペクト比別フォルダとが同階層に形成されてもよい。
【００８８】
なお、本実施の形態において、撮影者は表示画像種類選択メニュー６４において画像の種類を選択した後、表示優先度選択メニュー６２において優先度を選択したが、これに限られない。表示優先度選択メニュー６２にて優先度が選択された後、表示画像種類選択メニュー６４にて画像の種類が選択される構成としてもよい。
【００８９】
なお、本実施の形態に係るデジタルカメラは、図１６および図１７に示したように画像信号を格納すべきフォルダを撮影前に決定したが、これに限られない。例えば、撮影後にアスペクト比判別信号および姿勢判別信号に基づいて格納すべきフォルダを決定してもよいし、撮影後にユーザが設定してもよい。
【００９０】
（実施の形態３）
図２１は、実施の形態３に係るデジタルカメラ２００の概略構成を示すブロック図である。デジタルカメラ２００は、実施の形態１および２のデジタルカメラとほぼ同様の構成を備えるが、さらにレイアウト格納部１５０を備える点で異なる。以下、実施の形態１および２と異なる点を中心に説明する。
【００９１】
レイアウト格納部１５０は、表示部５５における各サムネイル画像の表示位置や表示枚数、表示サイズを示すレイアウトを格納する。本実施の形態において、レイアウト格納部１５０には複数のレイアウトが格納されており、画像の種類や優先度に応じて表示部５５における表示位置や表示枚数、表示サイズが変更されてサムネイル表示される。上述のように画像の種類は、画像信号に付加されたアスペクト比判別信号６１や姿勢判別信号６０に基づいて定められ、例えばアスペクト比や撮影時の撮影姿勢ごとに分類される。また優先度は、例えばサムネイル画像の表示サイズや表示枚数に基づいて定められ、図１９で示した表示優先度選択メニュー６２を介して撮影者により設定される。
【００９２】
画像表示制御部１３は、撮影者によって選択された画像の種類や優先度に応じてレイアウト格納部１５０から所定のレイアウトを抽出し、抽出したレイアウトにしたがって各サムネイル画像を表示する。また、撮影者はＭＥＮＵ設定操作部３９、十字操作キー３８およびＳＥＴ操作部４０を操作して、所望のレイアウトを選択することも可能である。
【００９３】
次に、レイアウト格納部１５０に格納されるレイアウトについて説明する。図２２Ａ〜図２７Ｅは、撮影姿勢やアスペクト比等の画像の種類が等しい場合に用いられるレイアウトの一例である。なお、アスペクト比４：３の横画像をサムネイル表示するレイアウト例は図２０と同様であり、ここでは説明を省略する。
【００９４】
図２２Ａ〜２２Ｃは、アスペクト比４：３の縦画像をサムネイル表示するレイアウト例である。図２２Ａは標準レイアウト、図２２Ｂは表示サイズ優先レイアウト、図２２Ｃは表示枚数優先レイアウトを示す。撮影者が図１８に示す表示優先度選択メニューのうち標準選択ボタン６２ａを選択すると、画像表示制御部１３はレイアウト格納部１５０から図２２Ａに示す標準レイアウトを抽出し、抽出したレイアウトにしたがってアスペクト比４：３の縦画像Ｓｖを表示する。これにより、表示部５５には縦方向に３枚、横方向に３枚の合計９枚のアスペクト比４：３の縦画像Ｓｖが表示される。一方、撮影者が表示優先度選択メニューのうち大きさ優先ボタン６２ｂを選択すると、画像表示制御部１３は図２２Ｂに示す表示サイズ優先レイアウトにしたがって縦画像Ｓｖを表示する。これにより、各縦画像Ｓｖは標準レイアウト（図２２Ａ）と比べて大きな表示サイズで表示部５５に表示される。撮影者が表示枚数優先ボタン６２ｃを選択すると、画像表示制御部１３は図２２Ｃに示す表示枚数優先レイアウトにしたがって縦画像Ｓｖを表示する。これにより、表示部５５には標準レイアウト（図２２Ａ）と比べて多くのサムネイル画像が表示される。
【００９５】
図２３Ａ〜２３Ｃは、アスペクト比１６：９の横画像をサムネイル表示するレイアウト例である。図２３Ａは標準レイアウト、図２３Ｂは表示サイズ優先レイアウト、図２３Ｃは表示枚数優先レイアウトを示す。図２３Ａの標準レイアウトに示すように、アスペクト比１６：９の横画像Ｗｈの短辺長は、アスペクト比４：３の横画像の短辺長と比べて短くなるので、表示部５５には縦方向に４枚、横方向に３枚の合計１２枚の横画像Ｗｈを表示することができ、表示部５５の表示領域を有効に活用したサムネイル表示が可能である。また、図２３Ｂおよび２３Ｃに示すように、表示サイズあるいは表示枚数を優先させるレイアウトについても同様に、表示部５５の表示領域を有効に活用したサムネイル表示が可能である。
【００９６】
図２４Ａ〜２４Ｃは、アスペクト比１６：９の縦画像をサムネイル表示するレイアウト例である。図２４Ａは標準レイアウト、図２４Ｂは表示サイズ優先レイアウト、図２４Ｃは表示枚数優先レイアウトを示す。図２４Ａの標準レイアウトに示すように、画像表示制御部１３は姿勢判別信号６０（１）に基づき画像の方向を９０°回転させて各サムネイル画像を表示する。また、図２４Ａの標準レイアウトに示すように、アスペクト比１６：９の縦画像Ｗｖの短辺長はアスペクト比４：３の縦画像Ｓｖの短辺長と比べて短くなるので、表示部５５には縦方向に３枚、横方向に７枚の合計２１枚の縦画像Ｗｖを表示することができ、表示部５５の表示領域を有効に活用したサムネイル表示が可能である。また、図２４ＢおよびＣに示すように、表示サイズあるいは表示枚数を優先させるレイアウトについても同様に、表示部５５の表示領域を有効に活用したサムネイル表示が可能である。
【００９７】
図２５Ａ〜２５Ｃは、アスペクト比に関わらず横画像をサムネイル表示するレイアウト例である。図中、表示部５５にはアスペクト比４：３の横画像Ｓｈとアスペクト比１６：９の横画像Ｗｈとが混在されて表示される。図２５Ａ、２５Ｂは標準レイアウトを示し、図２５Ｃは表示サイズ優先レイアウトを示す。図２５Ａ〜２５Ｃに示すように、異なるアスペクト比を有する画像を混在させて表示する場合には、等しいアスペクト比を有する画像をまとめて配置して表示される。
【００９８】
また同様に、アスペクト比に関わらず縦画像をサムネイル表示する場合についても、等しいアスペクト比を有する画像をまとめて配置して表示される。なお、上述のように縦撮り姿勢にて撮影された画像は、画像表示制御部１３により画像の方向が９０°回転されて縦画像として表示される。図２６Ａ〜２６Ｄは縦画像をサムネイル表示するレイアウト例である。図２６Ａ〜２６Ｃは標準レイアウト、図２６Ｄは表示サイズ優先レイアウトの一例である。図２５Ａ〜２５Ｃおよび図２６Ａ〜２６Ｄに示すように、異なるアスペクト比を有する画像が混在して表示される場合であっても、アスペクト比の等しい画像をまとめて配置することにより各画像間に不要な余白が形成されることがなく視認性のよいサムネイル表示が可能である。
【００９９】
図２７Ａ〜２７Ｅは、撮影姿勢に関わらずアスペクト比が４：３の画像をサムネイル表示するレイアウト例である。図中、表示部５５にはアスペクト比４：３の横画像Ｓｈと縦画像Ｓｖとが混在して表示される。図２７Ａ〜２７Ｃは標準レイアウト、図２７Ｄ、２７Ｅは表示サイズ優先レイアウト例を示す。図２７Ａ〜２７Ｅに示すように、横画像と縦画像とが混在して表示される場合には、同じ撮影姿勢で撮影された画像をまとめて配置して表示される。なお、縦撮り姿勢で撮影された画像は、画像表示制御部１３により画像の方向が９０°回転されて縦画像として表示される。同様に、図２８Ａ〜２８Ｅは撮影姿勢に関わらずアスペクト比が１６：９の画像をサムネイル表示させるレイアウト例を示す。図２８Ａ〜２８Ｃは標準レイアウト、図２８Ｄ、２８Ｅは表示サイズ優先レイアウトの一例である。図２７Ａ〜２７Ｅおよび図２８Ａ〜２８Ｅに示すように、横画像と縦画像とが混在して表示される場合であっても、横画像および縦画像をそれぞれまとめて配置することにより、各画像間に不要な余白が形成されることがなく視認性のよいサムネイル表示が可能である。
【０１００】
さらに図２９Ａ〜２９Ｅは、撮影姿勢およびアスペクト比に関わらず画像記録部１２に記録された全ての画像をサムネイル表示するレイアウト例である。図２９Ａ〜２９Ｅに示すように、各サムネイル画像は、アスペクト比および撮影姿勢の等しい画像をまとめて配置されて表示される。これにより、各画像間に不要な余白が形成されることがなく視認性のよいサムネイル表示が可能である。
【０１０１】
なお、各サムネイル画像を表示する順序は、例えば画像の種類毎にそれぞれ撮影日時の古いものから順に表示してもよい。図３０Ａ〜３０Ｅは、図２９Ａ〜２９Ｅに示したレイアウトを例に、画像の表示順序を説明するための図である。図中、サムネイル画像は、画像種類毎に撮影日時の古いものから順に表示部５５の左側から右側にかけて矢印の方向にしたがって表示される。
【０１０２】
以上のように、本実施の形態に係るデジタルカメラは、複数のレイアウトを格納するレイアウト格納部を備えるので、画像のアスペクト比や撮影時の撮影姿勢に応じて、表示部における各サムネイル画像の表示位置や表示枚数、表示サイズを変更するので視認性の良いサムネイル表示が可能である。
【０１０３】
また、本実施の形態に係るデジタルカメラは、各サムネイル画像の表示サイズや表示枚数を優先させて表示することができる。表示サイズを優先することにより、各サムネイル画像は大きな表示サイズで表示されるので、撮影者は画像の確認を容易に行うことができる。また、表示枚数を優先して表示することにより、表示部には多くのサムネイル画像が表示されるので、撮影者は一度に多くのサムネイル画像を視認することができ利便性の高いデジタルカメラを提供できる。
【０１０４】
なお、本実施の形態において表示部のアスペクト比は４：３としたが、これに限られない。例えば、表示部のアスペクト比が１６：９の場合についても本発明を適用することができる。以下、レイアウト例について列挙すると、図３１Ａ〜３１Ｃはアスペクト比が４：３の横画像をアスペクト比が１６：９の表示部にサムネイル表示するレイアウト例、図３２Ａ〜３２Ｃはアスペクト比が４：３の縦画像をサムネイル表示するレイアウト例、図３３Ａ〜３３Ｃはアスペクト比が１６：９の横画像をサムネイル表示するレイアウト例、図３４Ａ〜３４Ｃはアスペクト比が１６：９の縦画像をサムネイル表示するレイアウト例、図３５Ａ〜３５Ｃは横画像をサムネイル表示するレイアウト例、図３６Ａ〜３６Ｃは縦画像をサムネイル表示するレイアウト例、図３７Ａ〜３７Ｃはアスペクト比が４：３の画像をサムネイル表示するレイアウト例、図３８Ａ〜３８Ｃはアスペクト比が１６：９の画像をサムネイル表示するレイアウト例である。なお、各図Ａ、Ｂは標準レイアウトを示し、図Ｃは表示サイズ優先レイアウトを示す。
【０１０５】
なお、本実施の形態に係るデジタルカメラは、サムネイル画像をレイアウトにしたがって表示したが、これに限られない。画像信号が格納される画像ファイルに対して、表示サイズおよび配置位置、表示枚数を示す情報を付加し、付加された情報にしたがって各サムネイル画像が表示されてもよい。
【０１０６】
（実施の形態４）
図３９は、実施の形態４に係るデジタルカメラおよび表示装置を示している。本実施の形態に係るデジタルカメラは、実施の形態１〜３とほぼ等しい構成を持つが、撮影画像およびサムネイル画像は、撮像装置に接続された外部の表示装置に表示させる点で異なる。図３９に示すように、デジタルカメラ１の画像記録部に姿勢情報とともに記録された撮影画像は、ケーブル７５を介して、テレビモニタ等の表示装置７０に表示される。ケーブル７５は、例えばＵＳＢ（Ｕｎｉｖｅｒｓａｌ  Ｓｅｒｉａｌ  Ｂｕｓ）ケーブルを用いる。表示装置７０に表示される画像は、デジタルカメラ１の画像表示制御部１３により制御されるため、実施の形態１〜３と同様に、表示する画像の方向を撮影時の姿勢に復元するとともに、画像のアスペクト比や撮影姿勢、優先度に応じて表示位置や表示枚数、表示サイズ等を変更して各サムネイル画像を外部の表示装置に表示することができる。
【０１０７】
以上の構成により、デジタルカメラを操作することにより、外部のテレビモニタ等に視認性を向上させたサムネイル表示を行うことができるので、デジタルカメラに表示部が設けられていない場合や、撮影画像をさらに大きな表示サイズで表示したい場合に効果的である。
【０１０８】
なお、本実施の形態において、外部の表示装置はテレビモニタを用いた例を示したが、これに限られない。例えば、モニタに接続されたパーソナルコンピュータとケーブルを介して接続する構成としてもよい。
【０１０９】
なお、本実施の形態において、ケーブル７５は、ＵＳＢケーブルを用いた例を示したがこれに限られない。例えば、ＩＥＥＥ１３９４シリアルバス用ケーブルや、無線ＬＡＮ等の無線により接続してもよい。
【０１１０】
（実施の形態５）
図４０は、実施の形態５に係る表示制御装置を示している。本実施の形態に含まれるデジタルカメラは、実施の形態１〜４とほぼ等しい構成を持つが、実施の形態１〜４においてデジタルカメラにより行われた表示制御は、表示制御装置８２により行われる点で異なる。例えば、表示制御装置８２は画像処理ソフトを備えたパーソナルコンピュータとモニタなどに相当する。デジタルカメラ１により撮影された画像は、サムネイル画像と姿勢判別信号とアスペクト比判別信号とともに、着脱可能なメモリーカードなどのリムーバブルメモリ５１に記録される。なお、リムーバブルメモリ５１はメモリーカードに限られず、ハードディスクや光ディスクなどでもよい。撮影画像は、リムーバブルメモリ５１の読み出しが可能なリムーバブルメモリ挿入部８１と、表示制御装置とを備えた表示装置８０に表示される。表示装置に表示される画像は、リムーバブルメモリ５１に記録された姿勢判別信号６０やアスペクト比判別信号６１に基づいて、表示制御装置により実施の形態１〜３と同様の表示制御が行われる。
【０１１１】
以上の構成により、本実施の形態に係る表示制御装置８２は、デジタルカメラ１により得られた撮影画像とサムネイル画像と姿勢判別信号とアスペクト比判別信号とを記録したリムーバブルメモリ５１から、これらを読み出し、姿勢情報およびアスペクト比情報に基づいて、実施の形態１〜３と同様の視認性のよいサムネイル画像を表示装置に表示させる。
【０１１２】
なお、表示制御装置を備えた表示装置はパーソナルコンピュータの例を示したが、これに限られない。例えば、図４０に示すように、リムーバブルメモリ５１の読み出しが可能なハードディスクレコーダもしくはＤＶＤレコーダ等を介して、テレビモニタに表示してもよい。
【０１１３】
なお、本実施の形態において、リムーバブルメモリ挿入部８１を備えた表示装置および表示制御装置を用いる例を示したが、これに限られない。例えば、リムーバブルメモリ５１の読み出しが可能なメモリーカードリーダ等の読み取り装置と、表示制御装置と、表示装置とを接続する構成としてもよい。
【０１１４】
なお、実施の形態４または５において、複数のレイアウトを格納するレイアウト格納部はデジタルカメラに備えてもよいし、表示装置あるいは表示制御装置側に備えてもよい。
【０１１５】
なお、実施の形態４または５において、撮影画像を外部の表示装置に表示する形態としたがこれに限られない。例えば、プリンタなどの印刷手段と接続する形態としても同様の効果を得ることができる。
【０１１６】
なお、実施の形態１〜５において、１つのシャッター操作部を備えたデジタルカメラを用いたが、これに限られない。例えば、横撮り姿勢で撮影するシャッター操作部と、縦撮り姿勢で撮影するシャッター操作部とをそれぞれ単独で搭載し、そのシャッター操作部を使用することにより、撮影姿勢の判別を行ってもよい。
【０１１７】
なお、実施の形態１〜５において、撮影画像は静止画像である場合について示したが、動画あるいは簡易動画等についても同様の効果を得ることができる。
【０１１８】
なお、実施の形態１〜５において、撮影姿勢は、横撮り姿勢の場合を０°として光軸を中心に９０°回転させた姿勢を縦撮り姿勢としたが、−９０°回転させた姿勢としても同様の効果を得ることができる。また、−９０゜回転させた姿勢の姿勢判別信号を（２）とし、横姿勢が１種類、縦姿勢が２種類の合計３種類の姿勢を検出できるようにしてもよい。
【０１１９】
なお、実施の形態１〜５において、姿勢判別信号６０として、（０）または（１）の信号を付加する方法を用いたが、これに限られない。例えば、縦撮り姿勢においてのみ、信号を付加する方法としてもよい。また、姿勢判別信号は、撮影画像に記録する方法に限らず、撮影画像とは別のファイルに記録し、撮影画像と、姿勢判別信号が記録されたファイルとを対応させる方法を用いてもよい。また、アスペクト比判別信号についても同様に、撮影画像と別のファイルに記録されてもよい。
【０１２０】
なお、実施の形態１〜５において、撮影画像はアスペクト比切換処理によりアスペクト比が４：３あるいは１６：９に切換えられたが、これに限られない。撮影画像は、３：２などの他のアスペクト比に切換えられてもよい。３つ以上のアスペクト比に切換可能である場合、画像信号に付加されるアスペクト比判別信号はアスペクト比判別信号６１（３）から順次割り当ててもよい。
【０１２１】
なお、実施の形態１〜５において、撮像センサおよび撮影画像のアスペクト比は４：３と１６：９の場合について示したが、この２種類に限られることはなく任意である。例えば、撮像センサおよび撮影画像のアスペクト比は３：２などであってもよい。
【０１２２】
なお、実施の形態１〜５において、表示部のアスペクト比は４：３や１６：９等の横幅を長辺としたが、これに限られない。縦幅を長辺とする表示部であっても同様の効果を得ることができる。
【産業上の利用可能性】
【０１２３】
本発明の撮像装置、表示制御装置ならびに表示装置は、撮影画像の表示方法に関し快適な表示が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図面の簡単な説明】
【０１２４】
【図１】実施の形態１に係るデジタルカメラの概略構成を示すブロック図
【図２Ａ】実施の形態１に係るデジタルカメラの上面図
【図２Ｂ】実施の形態１に係るデジタルカメラの背面図
【図３】実施の形態１の表示部に表示されるアスペクト比切換メニューの一例
【図４】実施の形態１においてアスペクト比が４：３の横画像と１６：９の横画像との関係を示す図
【図５】実施の形態１における画像のアスペクト比とアスペクト比判別信号との関係を示す図
【図６】実施の形態１における画像記録部に形成される画像フォルダの一例を示す図
【図７】実施の形態１において記録開始から記録終了までのフローチャート
【図８】実施の形態１において記録開始から記録終了までのフローチャート
【図９Ａ】実施の形態１において撮影画像がサムネイル表示された表示部の表示例
【図９Ｂ】実施の形態１において撮影画像がサムネイル表示された表示部の表示例
【図９Ｃ】実施の形態１において撮影画像がサムネイル表示された表示部の表示例
【図１０】実施の形態１における表示部に表示されるアスペクト比選択メニューの表示例
【図１１Ａ】実施の形態１における表示部に表示されたサムネイル表示例
【図１１Ｂ】実施の形態１における表示部に表示されたサムネイル表示例
【図１２】実施の形態１においてアスペクト比が４：３の撮影画像とアスペクト比が１６：９の撮影画像との関係を示す図
【図１３】実施の形態２に係るデジタルカメラの概略構成を示すブロック図
【図１４】実施の形態２においてカメラ姿勢と姿勢判別信号との関係を示す図
【図１５】実施の形態２における画像記録部に形成される画像フォルダの一例を示す図
【図１６】実施の形態２において記録開始から記録終了までのフローチャート
【図１７】実施の形態２において記録開始から記録終了までのフローチャート
【図１８】実施の形態２における表示部に表示される表示画像種類選択メニューの一例
【図１９】実施の形態２における表示部に表示される表示優先度選択メニューの一例
【図２０Ａ】実施の形態２において標準選択ボタンが選択された場合のサムネイル表示例
【図２０Ｂ】実施の形態２において大きさ優先ボタンが選択された場合のサムネイル表示例
【図２０Ｃ】実施の形態２において表示枚数優先ボタンが選択された場合のサムネイル表示例
【図２１】実施の形態３に係るデジタルカメラの概略構成を示すブロック図
【図２２Ａ】実施の形態３において、アスペクト比４：３の縦画像をサムネイル表示するレイアウト例
【図２２Ｂ】実施の形態３において、アスペクト比４：３の縦画像をサムネイル表示するレイアウト例
【図２２Ｃ】実施の形態３において、アスペクト比４：３の縦画像をサムネイル表示するレイアウト例
【図２３Ａ】実施の形態３において、アスペクト比１６：９の横画像をサムネイル表示するレイアウト例
【図２３Ｂ】実施の形態３において、アスペクト比１６：９の横画像をサムネイル表示するレイアウト例
【図２３Ｃ】実施の形態３において、アスペクト比１６：９の横画像をサムネイル表示するレイアウト例
【図２４Ａ】実施の形態３において、アスペクト比１６：９の縦画像をサムネイル表示するレイアウト例
【図２４Ｂ】実施の形態３において、アスペクト比１６：９の縦画像をサムネイル表示するレイアウト例
【図２４Ｃ】実施の形態３において、アスペクト比１６：９の縦画像をサムネイル表示するレイアウト例
【図２５Ａ】実施の形態３において、アスペクト比に関わらず横画像をサムネイル表示するレイアウト例
【図２５Ｂ】実施の形態３において、アスペクト比に関わらず横画像をサムネイル表示するレイアウト例
【図２５Ｃ】実施の形態３において、アスペクト比に関わらず横画像をサムネイル表示するレイアウト例
【図２６Ａ】実施の形態３において、縦画像をサムネイル表示するレイアウト例
【図２６Ｂ】実施の形態３において、縦画像をサムネイル表示するレイアウト例
【図２６Ｃ】実施の形態３において、縦画像をサムネイル表示するレイアウト例
【図２６Ｄ】実施の形態３において、縦画像をサムネイル表示するレイアウト例
【図２７Ａ】実施の形態３において、撮影姿勢に関わらずアスペクト比が４：３の画像をサムネイル表示するレイアウト例
【図２７Ｂ】実施の形態３において、撮影姿勢に関わらずアスペクト比が４：３の画像をサムネイル表示するレイアウト例
【図２７Ｃ】実施の形態３において、撮影姿勢に関わらずアスペクト比が４：３の画像をサムネイル表示するレイアウト例
【図２７Ｄ】実施の形態３において、撮影姿勢に関わらずアスペクト比が４：３の画像をサムネイル表示するレイアウト例
【図２７Ｅ】実施の形態３において、撮影姿勢に関わらずアスペクト比が４：３の画像をサムネイル表示するレイアウト例
【図２８Ａ】実施の形態３において、撮影姿勢に関わらずアスペクト比が１６：９の画像をサムネイル表示させるレイアウト例
【図２８Ｂ】実施の形態３において、撮影姿勢に関わらずアスペクト比が１６：９の画像をサムネイル表示させるレイアウト例
【図２８Ｃ】実施の形態３において、撮影姿勢に関わらずアスペクト比が１６：９の画像をサムネイル表示させるレイアウト例
【図２８Ｄ】実施の形態３において、撮影姿勢に関わらずアスペクト比が１６：９の画像をサムネイル表示させるレイアウト例
【図２８Ｅ】実施の形態３において、撮影姿勢に関わらずアスペクト比が１６：９の画像をサムネイル表示させるレイアウト例
【図２９Ａ】実施の形態３において、画像方向およびアスペクト比に関わらず画像記録部に記録された全ての画像をサムネイル表示するレイアウト例
【図２９Ｂ】実施の形態３において、画像方向およびアスペクト比に関わらず画像記録部に記録された全ての画像をサムネイル表示するレイアウト例
【図２９Ｃ】実施の形態３において、画像方向およびアスペクト比に関わらず画像記録部に記録された全ての画像をサムネイル表示するレイアウト例
【図２９Ｄ】実施の形態３において、画像方向およびアスペクト比に関わらず画像記録部に記録された全ての画像をサムネイル表示するレイアウト例
【図２９Ｅ】実施の形態３において、画像方向およびアスペクト比に関わらず画像記録部に記録された全ての画像をサムネイル表示するレイアウト例
【図３０Ａ】実施の形態３において、図２９Ａ〜２９Ｅに示したレイアウトを例に画像の表示順序を説明するための図
【図３０Ｂ】実施の形態３において、図２９Ａ〜２９Ｅに示したレイアウトを例に画像の表示順序を説明するための図
【図３０Ｃ】実施の形態３において、図２９Ａ〜２９Ｅに示したレイアウトを例に画像の表示順序を説明するための図
【図３０Ｄ】実施の形態３において、図２９Ａ〜２９Ｅに示したレイアウトを例に画像の表示順序を説明するための図
【図３０Ｅ】実施の形態３において、図２９Ａ〜２９Ｅに示したレイアウトを例に画像の表示順序を説明するための図
【図３１Ａ】実施の形態３において、アスペクト比が４：３の横画像をアスペクト比が１６：９の表示部にサムネイル表示するレイアウト例
【図３１Ｂ】実施の形態３において、アスペクト比が４：３の横画像をアスペクト比が１６：９の表示部にサムネイル表示するレイアウト例
【図３１Ｃ】実施の形態３において、アスペクト比が４：３の横画像をアスペクト比が１６：９の表示部にサムネイル表示するレイアウト例
【図３２Ａ】実施の形態３において、アスペクト比が４：３の縦画像をアスペクト比が１６：９の表示部にサムネイル表示するレイアウト例
【図３２Ｂ】実施の形態３において、アスペクト比が４：３の縦画像をアスペクト比が１６：９の表示部にサムネイル表示するレイアウト例
【図３２Ｃ】実施の形態３において、アスペクト比が４：３の縦画像をアスペクト比が１６：９の表示部にサムネイル表示するレイアウト例
【図３３Ａ】実施の形態３において、アスペクト比が１６：９の横画像をアスペクト比が１６：９の表示部にサムネイル表示するレイアウト例
【図３３Ｂ】実施の形態３において、アスペクト比が１６：９の横画像をアスペクト比が１６：９の表示部にサムネイル表示するレイアウト例
【図３３Ｃ】実施の形態３において、アスペクト比が１６：９の横画像をアスペクト比が１６：９の表示部にサムネイル表示するレイアウト例
【図３４Ａ】実施の形態３において、アスペクト比が１６：９の縦画像をアスペクト比が１６：９の表示部にサムネイル表示するレイアウト例
【図３４Ｂ】実施の形態３において、アスペクト比が１６：９の縦画像をアスペクト比が１６：９の表示部にサムネイル表示するレイアウト例
【図３４Ｃ】実施の形態３において、アスペクト比が１６：９の縦画像をアスペクト比が１６：９の表示部にサムネイル表示するレイアウト例
【図３５Ａ】実施の形態３において、横画像をアスペクト比が１６：９の表示部にサムネイル表示するレイアウト例
【図３５Ｂ】実施の形態３において、横画像をアスペクト比が１６：９の表示部にサムネイル表示するレイアウト例
【図３５Ｃ】実施の形態３において、横画像をアスペクト比が１６：９の表示部にサムネイル表示するレイアウト例
【図３６Ａ】実施の形態３において、縦画像をアスペクト比が１６：９の表示部にサムネイル表示するレイアウト例
【図３６Ｂ】実施の形態３において、縦画像をアスペクト比が１６：９の表示部にサムネイル表示するレイアウト例
【図３６Ｃ】実施の形態３において、縦画像をアスペクト比が１６：９の表示部にサムネイル表示するレイアウト例
【図３７Ａ】実施の形態３において、アスペクト比が４：３の画像をアスペクト比が１６：９の表示部にサムネイル表示するレイアウト例
【図３７Ｂ】実施の形態３において、アスペクト比が４：３の画像をアスペクト比が１６：９の表示部にサムネイル表示するレイアウト例
【図３７Ｃ】実施の形態３において、アスペクト比が４：３の画像をアスペクト比が１６：９の表示部にサムネイル表示するレイアウト例
【図３８Ａ】実施の形態３において、アスペクト比が１６：９の画像をアスペクト比が１６：９の表示部にサムネイル表示するレイアウト例
【図３８Ｂ】実施の形態３において、アスペクト比が１６：９の画像をアスペクト比が１６：９の表示部にサムネイル表示するレイアウト例
【図３８Ｃ】実施の形態３において、アスペクト比が１６：９の画像をアスペクト比が１６：９の表示部にサムネイル表示するレイアウト例
【図３９】実施の形態４に係るデジタルカメラおよび表示装置を示す図
【図４０】実施の形態５に係る表示制御装置を示す図
【図４１Ａ】従来のデジタルカメラの姿勢と表示部に表示される撮影画像の姿勢との関係を示す図
【図４１Ｂ】従来のデジタルカメラの姿勢と表示部に表示される撮影画像の姿勢との関係を示す図
【図４１Ｃ】従来のデジタルカメラの姿勢と表示部に表示される撮影画像の姿勢との関係を示す図
【図４２】従来の映像記録装置の構成概略図
【図４３】従来のデジタルカメラにより撮影された画像の一覧表示例
【符号の説明】
【０１２５】
１  デジタルカメラ
１ａ  筐体
２  レンズ
３  マイクロコンピュータ
４  撮像センサ
５  ＣＣＤ駆動制御部
６  アナログ信号制御部
７  Ａ／Ｄ変換部
８  デジタル信号処理部
９  バッファメモリ
１０  画像圧縮部
１１  画像記録制御部
１２  画像記録部
１３  画像表示制御部
３５  電源スイッチ
３６  シャッター操作部
３７  撮影／再生切換操作部
３８  十字操作キー
３９  ＭＥＮＵ設定操作部
４０  ＳＥＴ操作部
４１  シャッター操作部
４２  シャッター駆動モータ
４３  姿勢検出部
５１  リムーバブルメモリ
５５  表示部
５７  ズーム操作部
６０  姿勢判別信号
６１  アスペクト比判別信号
６２  表示優先度選択メニュー
６２ａ  標準選択ボタン
６２ｂ  大きさ優先ボタン
６２ｃ  表示枚数優先ボタン
６４  表示画像種類選択メニュー
６４ａ  アスペクト比４：３横画像選択ボタン
６４ｂ  アスペクト比４：３縦画像選択ボタン
６４ｃ  アスペクト比１６：９横画像選択ボタン
６４ｄ  アスペクト比１６：９縦画像選択ボタン
６４ｅ  横画像選択ボタン
６４ｆ  縦画像選択ボタン
６４ｇ  アスペクト比４：３画像選択ボタン
６４ｈ  アスペクト比４：３画像選択ボタン
６５  アスペクト比選択メニュー
６５ａ  アスペクト比４：３選択ボタン
６５ｂ  アスペクト比１６：９選択ボタン
６９  アスペクト比切換メニュー
６９ａ  アスペクト比４：３切換ボタン
６９ｂ  アスペクト比１６：９切換ボタン
７０  表示装置
７５  ケーブル
８０  表示装置
８１  リムーバブルメモリ挿入部
８２  表示制御装置
９０  撮影画像フォルダ
９１  静止画像フォルダ
９２  動画像フォルダ
９３ａ、９３ｂ  横姿勢画像フォルダ
９４ａ、９４ｂ  縦姿勢画像フォルダ
９５  静止画像
９６  動画像
９７ａ、９７ｂ、９７ｃ  アスペクト比４：３フォルダ
９８ａ、９８ｂ、９８ｃ  アスペクト比１６：９フォルダ
１００  デジタルカメラ
１５０  レイアウト格納部
２００  デジタルカメラ
Ｌ  撮像光学系
Ｌ１  第１レンズ群
Ｌ２  第２レンズ群
Ｌ３  第３レンズ群
Ｓｈ  アスペクト比４：３横画像
Ｓｖ  アスペクト比４：３縦画像
Ｗｈ  アスペクト比１６：９横画像
Ｗｖ  アスペクト比１６：９縦画像
【手続補正３】
【補正対象書類名】図面
【補正対象項目名】全図
【補正方法】変更
【補正の内容】
【図１】
2007086197.tif 000095
【図２Ａ】
2007086197.tif 000096
【図２Ｂ】
2007086197.tif 000097
【図３】
2007086197.tif 000098
【図４】
2007086197.tif 000099
【図５】
2007086197.tif 000100
【図６】
2007086197.tif 000101
【図７】
2007086197.tif 000102
【図８】
2007086197.tif 000103
【図９Ａ】
2007086197.tif 000104
【図９Ｂ】
2007086197.tif 000105
【図９Ｃ】
2007086197.tif 000106
【図１０】
2007086197.tif 000107
【図１１Ａ】
2007086197.tif 000108
【図１１Ｂ】
2007086197.tif 000109
【図１２】
2007086197.tif 000110
【図１３】
2007086197.tif 000111
【図１４】
2007086197.tif 000112
【図１５】
2007086197.tif 000113
【図１６】
2007086197.tif 000114
【図１７】
2007086197.tif 000115
【図１８】
2007086197.tif 000116
【図１９】
2007086197.tif 000117
【図２０Ａ】
2007086197.tif 000118
【図２０Ｂ】
2007086197.tif 000119
【図２０Ｃ】
2007086197.tif 000120
【図２１】
2007086197.tif 000121
【図２２Ａ】
2007086197.tif 000122
【図２２Ｂ】
2007086197.tif 000123
【図２２Ｃ】
2007086197.tif 000124
【図２３Ａ】
2007086197.tif 000125
【図２３Ｂ】
2007086197.tif 000126
【図２３Ｃ】
2007086197.tif 000127
【図２４Ａ】
2007086197.tif 000128
【図２４Ｂ】
2007086197.tif 000129
【図２４Ｃ】
2007086197.tif 000130
【図２５Ａ】
2007086197.tif 000131
【図２５Ｂ】
2007086197.tif 000132
【図２５Ｃ】
2007086197.tif 000133
【図２６Ａ】
2007086197.tif 000134
【図２６Ｂ】
2007086197.tif 000135
【図２６Ｃ】
2007086197.tif 000136
【図２６Ｄ】
2007086197.tif 000137
【図２７Ａ】
2007086197.tif 000138
【図２７Ｂ】
2007086197.tif 000139
【図２７Ｃ】
2007086197.tif 000140
【図２７Ｄ】
2007086197.tif 000141
【図２７Ｅ】
2007086197.tif 000142
【図２８Ａ】
2007086197.tif 000143
【図２８Ｂ】
2007086197.tif 000144
【図２８Ｃ】
2007086197.tif 000145
【図２８Ｄ】
2007086197.tif 000146
【図２８Ｅ】
2007086197.tif 000147
【図２９Ａ】
2007086197.tif 000148
【図２９Ｂ】
2007086197.tif 000149
【図２９Ｃ】
2007086197.tif 000150
【図２９Ｄ】
2007086197.tif 000151
【図２９Ｅ】
2007086197.tif 000152
【図３０Ａ】
2007086197.tif 000153
【図３０Ｂ】
2007086197.tif 000154
【図３０Ｃ】
2007086197.tif 000155
【図３０Ｄ】
2007086197.tif 000156
【図３０Ｅ】
2007086197.tif 000157
【図３１Ａ】
2007086197.tif 000158
【図３１Ｂ】
2007086197.tif 000159
【図３１Ｃ】
2007086197.tif 000160
【図３２Ａ】
2007086197.tif 000161
【図３２Ｂ】
2007086197.tif 000162
【図３２Ｃ】
2007086197.tif 000163
【図３３Ａ】
2007086197.tif 000164
【図３３Ｂ】
2007086197.tif 000165
【図３３Ｃ】
2007086197.tif 000166
【図３４Ａ】
2007086197.tif 000167
【図３４Ｂ】
2007086197.tif 000168
【図３４Ｃ】
2007086197.tif 000169
【図３５Ａ】
2007086197.tif 000170
【図３５Ｂ】
2007086197.tif 000171
【図３５Ｃ】
2007086197.tif 000172
【図３６Ａ】
2007086197.tif 000173
【図３６Ｂ】
2007086197.tif 000174
【図３６Ｃ】
2007086197.tif 000175
【図３７Ａ】
2007086197.tif 000176
【図３７Ｂ】
2007086197.tif 000177
【図３７Ｃ】
2007086197.tif 000178
【図３８Ａ】
2007086197.tif 000179
【図３８Ｂ】
2007086197.tif 000180
【図３８Ｃ】
2007086197.tif 000181
【図３９】
2007086197.tif 000182
【図４０】
2007086197.tif 000183
【図４１Ａ】
2007086197.tif 000184
【図４１Ｂ】
2007086197.tif 000185
【図４１Ｃ】
2007086197.tif 000186
【図４２】
2007086197.tif 000187
【図４３】
2007086197.tif 000188
【国際調査報告】
2007086197.tif 000189
2007086197.tif 000190
2007086197.tif 000191
2007086197.tif 000192